(57)【要約】      （修正有）【課題】戸を開く時の抵抗の軽減と、安定した戸閉状態の維持を両立させると共に、吸着力の調整が可能であり、戸の跳ね返り発生を減少させ、戸袋に収納する形式の引戸にも利用できるようなマグネットキャッチを、簡単構造で、かつ、既存の戸への取付けも容易なように、提供する。【解決手段】戸１１を枠体１２に係着するため、その一方に磁石１５を固定し、他の一方に薄板バネ２を片持ち支持方式で固定する。板バネ２は、磁石１５と対面する部分の板厚や板幅を基部より大きくすることにより、できるだけ柔軟なものを使用しながら強い吸着力を得る。また、板バネ２の片端をネジ４で固定するための座板３を設け、その座板３を移動させて吸着力を調整できるようにする。更に、引戸１１では、本装置を取付けることで発生する枠体１２との隙間を埋める隙間防止材９を設け、装置を埋設する必要なく、取付け容易とする。【選択図】図６
2012172294.tif 000002
【特許請求の範囲】
【請求項１】
戸などの開閉装置を枠体に係着するため、その何れか一方に磁石を固定し、他の一方に板バネをその片端だけで固定したことを特徴とする、板バネ式マグネットキャッチ。
【請求項２】
板バネの、磁石と対面する部分の少なくとも一部の板厚及び／または板幅を、それ以外の部分より大きくしたことを特徴とする、請求項１記載の板バネ式マグネットキャッチ。
【請求項３】
磁石と対面する鉄片を設け、その長さ方向中央部で板バネと接続したことを特徴とする、請求項１記載の板バネ式マグネットキャッチ。
【請求項４】
戸が閉じられた状態で、板バネの固定面方向へ一定のバネ力が掛かるよう、板バネに予歪を与えたことを特徴とする請求項１、２または３記載の板バネ式マグネットキャッチ。
【請求項５】
板バネの片端をネジで固定するための座板を設け、そのネジ孔は長孔とし、該座板を長孔に沿って移動させることにより、吸着力を調整できるようにしたことを特徴とする、請求項１、２、３または４記載の板バネ式マグネットキャッチ。
【請求項６】
ヨーク付き磁石ユニットを収納する合成樹脂製ケースを設け、そのケースの開口部周縁で板バネとの主たる衝撃を受けるようにすると共に、板バネの表、裏とそれに対面する部材面の中、何れか一つ以上の面に、弾性皮膜を貼付したことを特徴とする、請求項１、２、３、４または５記載の板バネ式マグネットキャッチ。
【請求項７】
引戸の走行方向面と枠体の当接面に於いて、その何れか一方に、装置部材を埋設せずに取り付けたことにより戸閉時に発生する両者間の隙間を埋めるよう、隙間防止材を具備したことを特徴とする、請求項１、２、３、４、５または６記載の板バネ式マグネットキャッチ。
【発明の詳細な説明】
【技術分野】
【０００１】
本発明は、戸やカバー類などの開閉部材を枠体に係着した後、再び開く時の抵抗を少なくすると共に、戸の跳ね返りによる隙間発生をできるだけ少なくする目的の、板バネ式マグネットキャッチに関するものである。
【背景技術】
【０００２】
マグネットキャッチは、戸やカバー類などの開閉部材（扉を含め、以下、これらの総称として「戸」と記す）を枠体に係着する簡便な装置として広く利用されているが、幾つかの問題点がある。その一つは、比較的大きな係着力を得ようとすると、戸を再び開く時（以下、「戸開時」と記す）の抵抗が、往々にして大きくなることである。
【０００３】
また、引戸には、特に戸車を備えた軽快な引戸に於いて、閉めた時（以下、「戸閉時」と記す）に跳ね返りによる隙間が生じ易いという問題がある。これに対しては、図４に示したとほぼ同様の磁石ユニットを備えたマグネットキャッチを、引戸の表または裏面端部に取付けることが行われている他、戸袋に収納される形式の引戸にも利用できる商品として、引戸の走行方向面と枠体の当接面の一方に磁石、他の一方に受体を埋設する形式のマグネットキャッチがある。しかし、これらには戸開時の抵抗に関する上記問題が未解決であることに加え、建て付けの狂いや戸の変形のために隙間がある場合に、十分な機能を果たせないことがある、等の問題がある。この対策案として、磁石を円柱状とし、磁石の底部にコイルスプリングを組み込んだ構造の発明が既になされている。
【先行技術文献】
【特許文献】
【０００４】
【特許文献１】特開２０００−２４８８１１号広報
【特許文献２】特開２００１−７３６１９号広報
【発明の概要】
【発明が解決しようとする課題】
【０００５】
磁石の底部にコイルスプリングを組込む上記発明２件は、引戸の跳ね返り防止効果に優れ、磁石が受体に及ぼす吸着力は従来装置と同じままであるが、戸が枠体から離れて受体が磁石を振り切るまでの間に慣性を得て、実感としての戸開時抵抗力を減少させるであろう。これはバネの効果により、戸開時抵抗力は磁石吸着力に等しいという従来概念を破る端緒を与えたものとして、注目される。しかし、戸開時抵抗力を減ずる効果は大きくはないであろうし、コイルスプリングの付いた磁石の埋設作業等、その取り付けが一般の家庭では容易に行えないことや、コスト高がその普及を妨げていると思われる。
【０００６】
本発明が解決しようとする課題は、戸開時の抵抗の軽減と、安定した戸閉状態の維持を両立させると共に、吸着力の調整が可能であり、戸の跳ね返りによる隙間発生を減少させ、戸袋に収納する形式の引戸にも利用できるようなマグネットキャッチを、簡単構造で、かつ、既存の戸への取付けも容易なように、提供することである。
【課題を解決するための手段】
【０００７】
請求項１記載の発明は、戸を枠体に係着するため、その一方に磁石を固定し、他の一方に、従来のマグネットキャッチでは鉄製剛体であるものを薄板バネに代え、それを片持ち支持方式で固定したことを特徴とし、以下の全ての発明の基本となるものである。
【０００８】
請求項２記載の発明は、請求項１記載の発明に対し、板バネの磁石と対面する部分の少なくとも一部の断面２次モーメントを、板厚及び／または板幅を大きくすることにより、それ以外の部分（以下、「基部」と記す）より大きくしたことを特徴とする。板厚を部分的に厚くする方法としては、板バネの先端部分を折り曲げて接合する方法が簡便である。
【０００９】
請求項３記載の発明は、請求項１記載の発明に対し、磁石と対面する鉄片を設け、その長さ方向中央部で溶接等の手段により板バネと接続したことを特徴とする。
【００１０】
請求項４記載の発明は、請求項１、２または３記載の発明に対し、戸が閉じられた状態で板バネの固定面方向へ一定のバネ力が掛かるよう、板バネに予歪を与えたことを特徴とする。予歪を与える方法としては、後述するように請求項２記載の板バネ先端部の厚み突出側を固定面に向ける方法、板バネ基部に「く」の字状の変形を与える方法、及びそれらを併用する方法等がある。
【００１１】
請求項５記載の発明は、請求項１、２、３または４記載の発明に対し、板バネをネジで固定するための座板を設け、そのネジ孔は長孔とし、座板を長孔に沿って移動させて板バネの先端から固定部までの長さを拡大または縮小させることにより、本装置による吸着力を調整できるようにしたことを特徴とする。
【００１２】
請求項６記載の発明は、請求項１〜５記載の夫々の発明に対し、ヨーク付き磁石ユニットを収納する合成樹脂製ケースを設け、そのケースの開口部周縁で板バネとの主たる衝撃を受けるようにすると共に、板バネの表、裏とそれに当接する部材面の中、何れか一つ以上の面に、弾性皮膜を貼付したことを特徴とする。
【００１３】
請求項７記載の発明は、請求項１〜６記載の夫々の発明を引戸に適用した場合、その装置部材を埋設せずに取り付けたことにより戸閉時に発生する戸の走行方向面と枠体間の隙間を埋めるよう、その何れか一方に隙間防止材を具備したことを特徴とする。
【発明の効果】
【００１４】
図１は、本発明に掛かる板バネ式マグネットキャッチの基本原理を説明するため、装置の骨子を横方向に誇張し、その挙動を段階的に示した断面図である。
【００１５】
ある重さの戸に固定された剛性受体が、枠体に固定された磁石の全面に吸着された時の吸着力をＭ０、磁石と受体間の距離をｘ、受体が磁石の吸引力Ｎにより引寄せられてしまう限界位置をｘ１、その時の吸引力をＮ１とすると、磁石吸引力ＮはＭ０（ｘ＝０、図１（イ）の状態）からほぼｘ２に反比例して減衰することが一般に知られている。従って明らかに、従来のマグネットキャッチでは、戸を開くためにはＭ０以上の外力が初めに必要であり、ｘ＞ｘ１となれば、戸の跳ね返りが引き戻されることはない。
【００１６】
ところが、受体を板バネに置き換えると、磁石吸着力をＭ、バネ力をＰとして、ｘ１の位置では図１（ロ）の状態になり、ｘ＞ｘ１となっても、Ｍ＞Ｐである限り、磁石は依然として板バネの少なくとも一部を吸着したままであり、外力が弱まればバネ力Ｐにより戸は引戻される。外力が強まるとｘが増していき、板バネは戸の動きに引きずられて（ハ）の状態となる。磁石と板バネの接触面積は縮小するから、磁石吸着力Ｍは急速に減少し、遂にｘに比例して増大するバネ力Ｐの方が大きくなり、板バネは磁石の吸着を振り切って離れる。その限界の状態を図１（ニ）、ｘ＝ｘ２、Ｍ＝Ｍ２とすると、当然、ｘ１＜ｘ２、Ｍ２＜Ｍ０である。即ち、板バネ式マグネットキャッチでは、Ｍ０より小さな力Ｍ２で戸を開くことができ、明らかに従来のマグネットキャッチで戸開時の抵抗が大きいという弱点を、軽減することができる。しかも、このように本発明の装置としての吸着力（以下、「装置吸着力」と記す）は、磁石と受体間の距離に伴い磁石吸着力Ｍが徐々にバネ力Ｐに変換され、従来装置の場合とは全く様相が異なって逆に最大値Ｍ２まで増大していくから、戸を引戻すためのバネ力Ｐは極めて容易にＮ１を超える。
【００１７】
しかしながら、マグネットキャッチの戸を引き戻す能力は、発生した跳ね返りエネルギーの吸収量の面でも検証されなければならない。それは従来マグネットキャッチでは、磁石吸引力Ｎに抗しながら戸を０からｘ１まで移動させる仕事量であるから、およそｘ１（Ｍ0＋Ｎ１）／２である。ここで、戸開時抵抗力が０．５ｋｇ程度、磁石ユニットの吸着力が２．５ｋｇ程度の場合を想定して、仮にＮ１／Ｍ0＝０．２とすると、上記エネルギー量は０．６ｘ１Ｍ0である。即ち、これを超える跳ね返りを生じさせた場合は、ｘ＞ｘ１となって戸を引き戻すことができない。
【００１８】
板バネ式マグネットキャッチでは、戸の引き戻し可能領域がｘ２まで拡大する。そして、バネ力Ｐと距離ｘは比例関係にあるから、吸収できるエネルギーはおよそｘ２Ｍ２／２で表すことができる。後述するように、請求項３の発明ではＭ２＝Ｍ0となり、ｘ＝ｘ１でＰ＝Ｎ１（図１（ロ）の状態）となるような板バネではＮ１／Ｍ0＝ｘ１／ｘ２という比例関係にあるから、上記の仮定の下ではｘ２＝ｘ１／０．２＝５ｘ１、従い、上記吸収エネルギーｘ２Ｍ２／２＝２．５ｘ１Ｍ0となる。他の請求項の発明で、例えばＭ２＝１／２Ｍ0となっても、吸収エネルギーは１．２５ｘ１Ｍ0となって、従来値を容易に超えることができる。
【００１９】
請求項１記載の発明では既述のように、装置吸着力の最大値Ｍ２はＭ0以下であるが、これは跳ね返り防止能力を左右する因子でもあるため、小さ過ぎても不満足である。そこで請求項２記載の発明では、板バネの磁石と対面する部分の少なくとも一部の断面２次モーメントを基部より大きくしたから、ｘ＝ｘ２の場面でも板バネと磁石の接触面積の縮小は抑制され、その結果として基部の柔軟性を維持しながら、装置吸着力の最大値Ｍ２の過小化を防ぐことができる。本発明の更なる応用として、一定範囲内で積極的に基部の板幅等を先端部より縮小すれば、そのバネ定数が低下するから、同値のＭ２を維持しながらｘ２を拡大し、跳ね返り防止能力を高めることができる。その上、板バネによる衝撃力を弱めるので、作動音を減ずる効果もある。尚、断面２次モーメントはバネ板厚の３乗と板幅に比例することは、周知である。
【００２０】
請求項２記載の発明ではＭ２を大きくすることができるが、戸開時の外力の増大と共に板バネは片持ちで磁石から後方より徐々に引き離されていくから、Ｍ２はＭ０と等値まではなり得ない。そこで請求項３記載の発明では、磁石と対面する部分を剛性鉄片とし、その長さ方向中央部にバネ力が負荷されるようにしたから、Ｍ２をＭ０と等値まで高めることができる。このことにより戸開時の抵抗は、前記コイルバネ式マグネットキャッチと同様、従来抵抗値Ｍ０に接近してしまうが、一定のバネ定数の下では戸閉時の跳ね返り防止能力を最大に高めることができるので、小さな磁石で跳ね返り防止を主目的とするマグネットキャッチに適する。
【００２１】
また、戸開時の抵抗を減少させることは、一方では、戸閉状態を保持する力、即ち「係着力」（ｘ＝０に於ける装置吸着力）を低下させることを意味するので、僅少な間隙は発生しても直ぐに引戻されるとは言え、戸閉状態が不安定となる可能性がある。そこで請求項４記載の発明では、図１に示すように、板バネ基部の磁石に近い部分に「く」の字状の予歪を与えたから、戸閉状態で一定のバネ力を確保できるようにした。板バネへの予歪は、請求項２記載の板バネ先端部分の厚み突出側を固定面に向けることによっても幾らか得られるが、これについては実施例１で後述する。
【００２２】
ところで、請求項１〜４記載の発明では装置吸着力の調整機能が無いので、戸の重さや使用者の好みに応じた調整ができない。請求項５記載の発明では、長孔に沿って座板を磁石より離す方向に移動すると、固定部から先の板バネ基部長さが拡大してバネ力は弱まり、逆方向ではバネ力は強まるから、装置吸着力を一定範囲内で調整することができる。周知の通り、バネ定数はバネ長さの３乗に反比例するから、僅かな調整で大きな効果を得ることができる。
【００２３】
請求項１〜５記載の何れの板バネ式マグネットキャッチも、戸の開閉時に板バネが磁石、戸または枠体と衝突し、やや大きい音を発し易い。請求項６記載の板バネ式マグネットキャッチは、磁石と板バネの金属同士の衝突を避け、衝突する何れかの部材面に弾性皮膜を介することでこの作動音を減じ、かつ、磁石を衝撃や磨耗から保護する効果がある。
【００２４】
請求項１〜６記載の何れかの板バネ式マグネットキャッチを引戸の走行方向面に装着する場合、戸と枠体間に隙間を発生させないよう、それぞれの取付け位置に各構成部材の厚みだけの溝を掘り、埋設しなくてはならない。請求項７記載の板バネ式マグネットキャッチは、この予期される隙間分の厚みの隙間防止材を設けるため、かかる埋設作業が不要となり、本装置の取付けが簡易化されるばかりでなく、建て付けの狂いや戸の変形による隙間があっても、その隙間を縮小させる効果がある。
【００２５】
以上述べた通り、本発明による装置は何れも極めて簡単な構造であり、かつ、取付け容易であるため、経済的にも有利である。
【図面の簡単な説明】
【００２６】
【図１】図１は、本発明の基本原理を説明するための図である。
【図２】図２は、請求項２、４及び５記載の発明装置の実施例を説明するための図である。（実施例１）
【図３】図３は、請求項３、４及び５記載の発明装置の実施例を説明するための図である。（実施例２）
【図４】図４は、請求項２及び５記載の発明装置の開き戸への実施例を説明するための図である。（実施例３）
【図５】図５は、請求項７記載の発明装置を、戸袋に収納される形式の引戸の中央高さ付近に取付けた場合を示す、概観図である。（実施例４）
【図６】図６は、請求項２及び４〜７記載の発明装置の引戸への実施例を説明するための図である。（実施例４）
【図７】図７は、図６に於ける装置中央での縦断面図である。（実施例４）
【図８】図８は、磁石ユニットを内包したケースを幅方向に断裁した斜視図である。（実施例１、２、４）
【発明を実施するための形態】
【００２７】
戸開時の抵抗の軽減と、安定した戸閉状態の維持を両立させると共に、戸の跳ね返りによる隙間発生をできるだけ減少させ、戸袋に収納される形式の引戸にも利用できるようなマグネットキャッチを、装置吸着力の調整も可能としながら、作動音を抑えつつ、簡単構造で、かつ、既存の戸への取付けも容易に行えるように、実現した。
【実施例１】
【００２８】
図２に、請求項２、４及び５記載の発明装置の実施例を示すが、磁石１の対面の全部またはその一部である板バネ先端部２Ａは、折り曲げ後固着され、基部より２倍の厚みにしてある。従い、この部分は基部との板厚比の３乗、即ち８倍の断面２次モーメントを持ち、実質的に殆ど剛体化されている。この板バネ先端部２Ａの厚みが突出した側を固定面に向けたから、その部分は取付け時に差厚分だけ固定面から押し上げられ、請求項４記載の予歪を自動的に得ている。尚、本図及び次例の図３に示された、磁石ユニット１５については実施例４で、請求項５に掛かる座板３については実施例３で説明する。
【実施例２】
【００２９】
図３に、請求項３、４及び５記載の発明装置の実施例を示すが、磁石１と対面する鉄片１４は、その長さ方向中央部で板バネ２と溶接等の手段で固着されている。板バネ２の固着部２Ｂより下方は、鉄片１４に対して自由であるから、バネ力は鉄片１４の長手方向中央部を中心に均等に働く。板バネ２の基部には、請求項４記載の予歪を「く」の字状に与えているため、戸閉時に引戸１１へ一定のバネ力が働く。
【実施例３】
【００３０】
図４は、請求項２及び５記載の発明装置の開き戸（以下、「開き戸」と記した場合は、片開き戸と枠体を含めた戸の形態を意味し、「開き戸１０」と記した場合は、扉単体を意味する。引戸も同じ）への実施例を示す説明図である。
【００３１】
図４に示すように、開き戸では先ず、戸口枠体１２の上角の近傍に、上下着磁の磁石１を一対の鉄板からなるヨーク５Ｄで上下に挟んで形成した磁石ユニット１５Ｄを、合成樹脂製のケース６Ｄ内に収めて複数のネジ４で固定する。このケース６Ｄは、開口した一側面から磁石ユニット１５Ｄを露出させ、戸当りの機能も果たしている。そして、開き戸１０の磁石１と対面する位置に、請求項２記載の板バネ２を請求項５記載の座板３及びネジ４で固定している。この座板３には長孔３Ａが設けられており、これに沿って座板３をスライドさせ、板バネ２の先端から固定端までの長さを拡大または縮小させることにより、装置吸着力を一定範囲内で調整することができる。
【実施例４】
【００３２】
図８は磁石ユニット１５を内包したケース６を幅方向に断裁した斜視図である。磁石ユニット１５は図８に示すように、上下着磁の磁石１を凹状のヨーク５内に２枚の合成樹脂板７を左右に挟んだ構造としている。そしてこれの四方を囲む形で、合成樹脂製ケース６内に収める。この形態は装置の厚みを薄くできるので、引き戸用のマグネットキャッチに適する。磁石ユニット１５は、磁石１が磁力の強い種類のものほど当然小型化でき、取付け作業やコストの面で有利となる。尚、ケース６は底のある構造としても良いが、底無しとして磁石ユニット１５の厚みを極力薄くした方が、後述の埋設の事情等で有利である。
【００３３】
図５は請求項７記載の発明装置を、戸袋１３に収納される形式の引戸の中央高さ付近に取付けた場合を示す、概観図である。
【００３４】
図６は請求項２及び４〜７記載の発明装置の引戸への実施例を示す斜視図、図７は図６に於ける装置中央での縦断面図である。先ず、既述の磁石ユニット１５を引戸１１と当接する戸口枠体１２の側面の任意の位置に、２本のネジ４で固定する。これとは反対に、磁石ユニット１５は引戸１１側に設けても良いが、ここでは図６の例に従って説明する。
【００３５】
本例に示した板バネ２は、先端部２Ａを折り曲げて二重にした上、ケース６と同一幅とし、基部の幅を一定量縮小しているから、先端部２Ａの断面２次モーメントは基部より十分に高められている。これは、装置吸着力の最大値Ｍ２を維持しながら基部の柔軟性を高め、そのことにより引戻し限界位置ｘ２が増大して跳ね返り防止能力を高める効果を生む。そして、板バネ２の基部には、先端部２Ａの板厚差による予歪効果に加え、「く」の字状の予歪を与えている。この板バネ２の上に既述の座板３を重ね、磁石１と対面する位置に２本のネジ４で引戸１１に固定する。
【００３６】
図６、７及び８に示すように、磁石ユニット１５は合成樹脂製ケース６内に収納され、ケース６の開口部周縁の高さをヨーク表面以上として、そこで板バネ２との主たる衝撃を受けるようにする。板バネ２の裏側に対しては、当接する引戸１１の部分に弾性皮膜８を貼付しているから、戸開閉時の作動音を減ずることができる。この弾性皮膜８は、板バネ２の表または裏面、またはケース６周縁部に重複して貼付しても良い。尚、板バネ２基部の幅を先端部２Ａより縮小したことは、板バネ２による衝撃力を弱めるので、作動音と弾性皮膜８の損耗を減ずる効果も生む。
【００３７】
ところで、上記した請求項１〜６記載の発明装置では、そのまま引戸に取付けては、それらの厚み分だけ引戸１１と枠体１２間に隙間を発生させるので、予めそれぞれの取付け位置に各厚み分の溝を掘り、埋設しなくてはならない（図１参照）。
【００３８】
請求項７記載の発明装置では図５、６及び７に示すように、枠体１２の引戸１１走行方向面と当接する面に於いて、装置部材を埋設せずに取付けたことにより発生する両者間の隙間を埋めるよう、隙間防止材９を設ける。これにより、引戸では請求項１〜６記載の発明装置で必要であった取付け位置への溝設置を不要とすることができ、本発明装置の取付けは極めて簡易化される。
【符号の説明】
【００３９】
Ｍ    磁石吸着力
Ｍ０    剛性受体が磁石の全面に吸着された時の吸着力
Ｍ２    板バネが磁石の吸着を振り切って離れる位置での磁石吸着力
Ｎ    磁石吸引力
Ｎ１    剛性受体が引寄せられてしまう限界位置での磁石吸引力
Ｐ    バネ力
ｘ    磁石と受体間の距離
ｘ１    剛性受体が磁石吸引力により引寄せられてしまう限界位置
ｘ２    板バネが磁石の吸着力を振り切って離れる限界位置
１    磁石
２    板バネ
２Ａ  板バネ先端部
２Ｂ  板バネ固着部
３    座板
３Ａ  長孔
４    ネジ
５    ヨーク
５Ｄ    ヨーク
６    ケース
６Ｄ  ケース
７    合成樹脂板
８    弾性皮膜
９    隙間防止材
１０  開き戸
１１  引戸
１２  戸口枠体
１３  戸袋
１４  鉄片
１５  磁石ユニット
１５Ｄ  磁石ユニット
【図１】
2012172294.tif 000003
【図２】
2012172294.tif 000004
【図３】
2012172294.tif 000005
【図４】
2012172294.tif 000006
【図５】
2012172294.tif 000007
【図６】
2012172294.tif 000008
【図７】
2012172294.tif 000009
【図８】
2012172294.tif 000010
【手続補正書】
【提出日】平成23年9月30日(2011.9.30)
【手続補正１】
【補正対象書類名】特許請求の範囲
【補正対象項目名】全文
【補正方法】変更
【補正の内容】
【特許請求の範囲】
【請求項１】
戸を枠体に係着するため、その何れか一方に磁石を固定し、他の一方に板バネをその片端だけで固定したことを特徴とする、板バネ式マグネットキャッチ。
【請求項２】
板バネの、磁石と対面する部分の少なくとも一部の板厚及び／または板幅を、それ以外の部分より大きくしたことを特徴とする、請求項１記載の板バネ式マグネットキャッチ。
【請求項３】
磁石と対面する鉄片を設け、その長さ方向中央部で板バネと接続したことを特徴とする、請求項１記載の板バネ式マグネットキャッチ。
【請求項４】
戸が閉じられた状態で、板バネの固定面方向へ一定のバネ力が掛かるよう、板バネに予め歪を与えたことを特徴とする、請求項１、２または３記載の板バネ式マグネットキャッチ。
【請求項５】
板バネの片端をネジで固定するための座板を設け、そのネジ孔は長孔とし、該座板を長孔に沿って移動させることにより、吸着力を調整できるようにしたことを特徴とする、請求項１、２、３または４記載の板バネ式マグネットキャッチ。
【請求項６】
ヨーク付き磁石ユニットを収納する合成樹脂製ケースを設け、そのケースの開口部周縁で板バネとの主たる衝撃を受けるようにすると共に、板バネの表、裏とそれに対面する部材面の中、何れか一つ以上の面に、弾性皮膜を貼付したことを特徴とする、請求項１、２、３、４または５記載の板バネ式マグネットキャッチ。
【手続補正２】
【補正対象書類名】明細書
【補正対象項目名】全文
【補正方法】変更
【補正の内容】
【発明の詳細な説明】
【技術分野】
【０００１】
本発明は、戸やカバー類などの開閉部材（扉を含め、以下、これらの総称として「戸」と記す）を枠体に係着した後、再び開く時（以下、「戸開時」と記す）の抵抗を軽減すると共に、戸の跳ね返りによる隙間発生を少なくする目的の、板バネ式マグネットキャッチに関するものである。
【背景技術】
【０００２】
マグネットキャッチは、戸を枠体に係着する簡便な装置として広く利用されているが、幾つかの問題点がある。その一つは、比較的大きな係着力を得ようとすると、戸開時の抵抗が大きくなり、軽い力で滑らかに開けないことがしばしば起こることである。
【０００３】
また、引戸には、特に戸車を備えた軽快な引戸に於いて、閉めた時（以下、「戸閉時」と記す）に跳ね返りによる隙間が生じ易いという問題がある。これに対しては、図４に示したとほぼ同様の磁石ユニットを備えたマグネットキャッチ（受体は剛性鉄片）を、引戸の表または裏面端部に取付けることが行われている他、戸袋に収納される形式の引戸にも利用できる商品として、引戸の走行方向面と枠体の当接面の一方に磁石、他の一方に鉄片を埋設する形式のマグネットキャッチがある。しかし、これらには戸開時の抵抗に関する上記問題が未解決であることに加え、建て付けの狂いや戸の変形のために隙間がある場合に、十分な機能を果たせないことがある、等の問題がある。この対策案として、磁石を円柱状とし、磁石の底部にコイルスプリングを組み込んだ構造の発明が既になされている。
【先行技術文献】
【特許文献】
【０００４】
【特許文献１】特開２０００−２４８８１１号広報
【特許文献２】特開２００１−７３６１９号広報
【発明の概要】
【発明が解決しようとする課題】
【０００５】
磁石の底部にコイルスプリングを組込む上記発明２件は、引戸の跳ね返り防止効果に優れ、磁石が受体に及ぼす吸着力は従来装置と同じままであるが、戸が枠体から離れて受体が磁石を振り切るまでの間に慣性を得て、実感としての戸開時抵抗力を減少させるであろう。これはバネの効果により、戸開時抵抗力は磁石吸着力に等しいという従来概念を破る端緒を与えたものとして、注目される。しかし、戸開時抵抗力を減ずる効果は大きくはないであろうし、コイルスプリングの付いた磁石の埋設作業等、その取り付けが一般の家庭では容易に行えないことや、コスト高がその普及を妨げていると思われる。
【０００６】
本発明が解決しようとする課題は、戸開時の抵抗の軽減及び円滑化と、安定した戸閉状態の維持を両立させると共に、吸着力の調整が可能であり、戸の跳ね返りによる隙間発生を減少させるようなマグネットキャッチを、簡単構造で、かつ、既存の戸への取付けも容易なように、提供することである。
【課題を解決するための手段】
【０００７】
請求項１記載の発明は、戸を枠体に係着するため、その一方に磁石を固定し、他の一方に、従来のマグネットキャッチでは剛性鉄片であるものを薄板バネに代え、それを片持ち支持方式で固定したことを特徴とし、以下の全ての発明の基本となるものである。
【０００８】
請求項２記載の発明は、請求項１記載の発明に対し、板バネの磁石と対面する部分（以下、「先端部」と記す）の少なくとも一部の断面２次モーメントを、板厚及び／または板幅を大きくすることにより、それ以外の部分（以下、「基部」と記す）より大きくしたことを特徴とする。板厚を部分的に厚くする方法としては、先端部を折り曲げて接合する方法が簡便である。
【０００９】
請求項３記載の発明は、請求項１記載の発明に対し、磁石と対面する鉄片を設け、その長さ方向中央部で溶接等の手段により板バネと接続したことを特徴とする。ここで、該鉄片の板厚は、剛性を得るために板バネ基部より当然厚くし、板幅については基部と同じか、または、基部より大きく（即ち、基部幅は鉄片幅以下に）するのが良い。
【００１０】
請求項４記載の発明は、請求項１、２または３記載の発明に対し、戸が閉じられた状態で板バネの固定面方向へ一定のバネ力が掛かるよう、板バネに予め歪（以下、「初期歪」と記す）を与えたことを特徴とする。初期歪を与える方法としては、後述するように請求項２記載の板バネ先端部の厚み突出側を固定面に向ける方法、基部に「く」の字状の変形を与える方法、及びそれらを併用する方法等がある。
【００１１】
請求項５記載の発明は、請求項１、２、３または４記載の発明に対し、板バネをネジで固定するための座板を設け、そのネジ孔は長孔とし、座板を長孔に沿って移動させて板バネの先端から座板先端までの長さを拡大または縮小させることにより、本装置による吸着力を調整できるようにしたことを特徴とする。
【００１２】
請求項６記載の発明は、請求項１〜５記載の夫々の発明に対し、ヨーク付き磁石ユニットを収納する合成樹脂製ケースを設け、そのケースの開口部周縁で板バネとの主たる衝撃を受けるようにすると共に、板バネの表、裏とそれに対面する部材面の中、何れか一つ以上の面に、弾性皮膜を貼付したことを特徴とする。
【発明の効果】
【００１３】
図１は、本発明に掛かる板バネ式マグネットキャッチの基本原理を説明するため、装置の骨子を横方向に誇張し、その挙動を段階的に示した断面図である。
【００１４】
ある重さの戸に固定されたマグネットキャッチの剛性受体が、枠体に固定された磁石の全面に吸着された時の吸着力をＭ0、磁石と受体間（即ち、戸と枠体間）の距離をｘ、受体が磁石から離れた位置から吸引力Ｎにより引寄せられてしまう限界位置をｘ１、その時の吸引力をＮ１とすると、磁石吸引力ＮはＭ0（ｘ＝０、図１「イ」の状態）からほぼｘ2に反比例して減衰することが一般に知られている。従って明らかに、従来のマグネットキャッチでは、戸を開くためにはＭ0以上の強い外力が初めに必要であり、受体が磁石から離脱後も吸引力Ｎが働くもののｘ＞ｘ１となれば、戸の跳ね返りが引き戻されることはない。
【００１５】
ところが、受体を板バネに置き換えると、磁石吸着力をＭ、バネ力をＰとして、ｘ１の位置では図１「ロ」の状態になり、ｘ＞ｘ１となっても、Ｍ＞Ｐである限り、磁石は依然として板バネの少なくとも一部を吸着したままであり、外力が弱まればバネ力Ｐにより戸は引戻される。外力が強まるとｘが増していき、板バネは戸の動きに引きずられて図１「ハ」の状態となる。磁石と板バネの接触面積は縮小するから、磁石吸着力Ｍは急速に減少し、遂にｘに比例して増大するバネ力Ｐの方が大きくなり、板バネは磁石の吸着を振り切って離れる。その限界の状態を図１「ニ」、ｘ＝ｘ２、Ｍ＝Ｍ２とすると、当然、ｘ１＜ｘ２、Ｍ２＜Ｍ0である。即ち、板バネ式マグネットキャッチでは、Ｍ0より小さな力Ｍ２で戸を開くことができ、明らかに従来のマグネットキャッチで戸開時の抵抗が大きいという弱点を、軽減することができる。しかも、このように本発明の装置としての吸着力（以下、「装置吸着力」と記す。これは、ばね力Ｐに等しい）は、磁石と受体間の距離ｘに伴い磁石吸着力Ｍが徐々にバネ力Ｐとして蓄積され、従来装置の場合とは全く様相が異なって逆に最大値Ｍ２まで増大していくから、従来より滑らかに戸を開くことができる。
【００１６】
一方、マグネットキャッチの戸を引き戻す能力は、発生した跳ね返りエネルギーの吸収量の問題として検証することができる。それは従来マグネットキャッチでは、磁石吸引力Ｎに抗しながら戸を０からｘ１まで移動させる仕事量であり、かつ、Ｎは凹曲線状にＭ0からＮ１まで減衰するから、ｘ１（Ｍ0＋Ｎ１）／２未満である。ここで、戸開時抵抗力が０．５ｋｇ程度、磁石ユニットの吸着力が２．５ｋｇ程度の場合を想定して、仮にＮ１／Ｍ0＝０．２とすると、上記エネルギー量は０．６ｘ１Ｍ0未満である。即ち、これを超えるエネルギー量の跳ね返りを生じさせた場合は、ｘ＞ｘ１となって戸を引き戻すことができない。
【００１７】
板バネ式マグネットキャッチでは、戸の引き戻し可能領域がｘ２まで拡大する。そして、バネ力Ｐと距離ｘは比例関係にあるから、吸収できるエネルギー量はｘ２Ｍ２／２で表すことができる。後述するように、請求項３の発明ではＭ２＝Ｍ0となり、ｘ＝ｘ１でＰ＝Ｎ１（図１「ロ」の状態）となるような板バネではＮ１／Ｍ0＝ｘ１／ｘ２という比例関係にあるから、上記の仮定（Ｎ１／Ｍ0＝０．２）の下ではｘ２＝ｘ１／０．２＝５ｘ１、従い、上記吸収エネルギーｘ２Ｍ２／２＝２．５ｘ１Ｍ0となる。他の請求項の発明で、例えばＭ２＝（１／２）Ｍ0となっても、吸収エネルギーは同様の比例関係から、ｘ２Ｍ２／２＝（５／２）ｘ１（１／２）Ｍ0／２＝（５／８）ｘ１Ｍ0＞０．６ｘ１Ｍ0となって、従来値を超えることができる。但し、上記仮定は磁石吸着力を控えめとしたから、これをやや大きくすることにより、益々有利とすることができる。
【００１８】
請求項１記載の発明では既述のように、装置吸着力の最大値Ｍ２はＭ0以下であるが、これは跳ね返り防止能力を左右する因子でもあるため、小さ過ぎても不満足である。そこで請求項２記載の発明では、板バネ先端部の少なくとも一部の断面２次モーメントを基部より大きくしたから、ｘ＝ｘ２の場面でも板バネと磁石の接触面積の縮小は抑制され、その結果として基部の柔軟性を維持しながら、装置吸着力の最大値Ｍ２の過小化を防ぐことができる。本発明の更なる応用として、一定範囲内（板バネがＭ２で降伏しない範囲）で積極的に基部の板幅を先端部より縮小すれば、そのバネ定数が低下するから、同値のＭ２を維持しながらｘ２を拡大し、跳ね返り防止能力を高めることができる。尚、断面２次モーメントはバネ板厚の３乗と板幅に比例することは、周知である。
【００１９】
請求項２記載の発明では請求項１記載の発明よりＭ２を大きくすることができるが、戸開時の外力の増大と共に板バネは片持ちで磁石から後方より徐々に引き離されていくから、Ｍ２はＭ0と等値まではなり得ない。そこで請求項３記載の発明では、磁石と対面する部分を剛性鉄片とし、その長さ方向中央部にバネ力が負荷されるようにしたから、Ｍ２をＭ0と等値まで高めることができる。このことにより戸開時の抵抗は、前記コイルバネを用いたマグネットキャッチと同様、従来抵抗値Ｍ0に接近してしまうが、一定のバネ定数の下では戸閉時の跳ね返り防止能力を最大に高めることができるので、小さな磁石で跳ね返り防止を主目的とするマグネットキャッチに適する。
【００２０】
尚、請求項３記載の発明に於いて、板バネ基部の板幅を一定範囲内で鉄片より小さくすれば、上記請求項２記載の発明と同様、ｘ２を拡大し、跳ね返り防止能力を益々高めることができる。
【００２１】
また、戸開時の抵抗を減少させることは、一方では、戸閉状態を保持する力、即ちｘ＝０に於ける装置吸着力、を低下させることを意味するので、僅少な間隙は発生しても直ぐに引戻されるとは言え、戸閉状態が不安定となる可能性がある。そこで請求項４記載の発明では、図１、３、６及び７に示すように、板バネ基部に「く」の字状の初期歪を与えたから、戸閉状態で一定のバネ力を確保できるようにした。板バネへの初期歪は、図２に示すように、請求項２記載の板バネ先端部の厚み突出側を固定面に向けることによっても幾らか得られるが、これについては実施例１で後述する。
【００２２】
ところで、請求項１〜４記載の発明では装置吸着力の調整機能が無いので、戸の重さや使用者の好みに応じた調整ができない。請求項５記載の発明では、長孔に沿って座板を磁石より離す方向に移動すると、座板先端から先の板バネ長さが拡大してバネ力は弱まり、逆方向ではバネ力は強まるから、装置吸着力を一定範囲内で調整することができる。周知の通り、バネ定数はバネ長さの３乗に反比例するから、僅かな調整で大きな効果を得ることができる。
【００２３】
請求項１〜５記載の何れの板バネ式マグネットキャッチも、戸の開閉時に板バネが磁石、戸または枠体と衝突し、やや大きい音を発し易い。請求項６記載の板バネ式マグネットキャッチは、磁石と板バネの金属同士の衝突を避け、衝突する何れか一つ以上の部材面に弾性皮膜を介することでこの作動音を減じ、かつ、磁石を衝撃や磨耗から保護する効果がある。
【００２４】
以上述べた通り、本発明による装置は何れも極めて簡単な構造であり、かつ、取付け容易であるため、経済的にも有利である。
【図面の簡単な説明】
【００２５】
【図１】図１は、本発明の基本原理を説明するための図である。
【図２】図２は、請求項２、４及び５記載の発明装置の実施例を説明するための図である。（実施例１）
【図３】図３は、請求項３、４及び５記載の発明装置の実施例を説明するための図である。（実施例２）
【図４】図４は、請求項２及び５記載の発明装置の開き戸への実施例を説明するための図である。（実施例３）
【図５】図５は、請求項１〜６の何れかに記載の発明装置を、戸袋に収納される形式の引戸に、隙間防止材を用いて簡易的に取付けた場合を示す、概観図である。（実施例１、２、４）
【図６】図６は、請求項２及び４〜６記載の発明装置の引戸への実施例を説明するための図である。（実施例４）
【図７】図７は、図６に於ける装置中央での縦断面図である。（実施例４）
【図８】図８は、磁石ユニットを内包したケースを幅方向に断裁した斜視図である。（実施例１、２、４）
【発明を実施するための形態】
【００２６】
戸開時の抵抗の軽減及び円滑化と、安定した戸閉状態の維持を両立させると共に、戸の跳ね返りによる隙間発生を減少させ、戸袋に収納される形式の引戸にも利用できるようなマグネットキャッチを、装置吸着力の調整も可能としながら、作動音を抑えつつ、簡単構造で、かつ、既存の戸への取付けも容易に行えるように、実現した。
【実施例１】
【００２７】
図２に、請求項２、４及び５記載の発明装置の実施例を示すが、磁石１の対面の板バネ先端部２Ａは、折り曲げ後固着され、基部より２倍の厚みにしてある。従い、この部分は基部との板厚比の３乗、即ち８倍の断面２次モーメントを持ち、実質的に殆ど剛体化されている。この板バネ先端部２Ａの厚みが突出した側を固定面に向けたから、その部分は取付け時に差厚分だけ固定面から押し上げられ、請求項４記載の初期歪を自動的に得ている。尚、本図及び次例の図３に示された、磁石ユニット１５については実施例４で、請求項５に掛かる座板３については実施例３で説明する。
【実施例２】
【００２８】
図３に、請求項３、４及び５記載の発明装置の実施例を示すが、磁石１と対面する鉄片１４は、その長手方向中央部で板バネ２と溶接等の手段で固着されている。板バネ２の固定部２Ｂより下方は、鉄片１４に対して自由であるから、バネ力は鉄片１４の長さ方向中央部を中心に均等に働く。板バネ２の基部には、請求項４記載の初期歪を「く」の字状に与えているため、戸閉時に引戸１１へ一定のバネ力が働く。
【実施例３】
【００２９】
図４は、請求項２及び５記載の発明装置の開き戸（以下、「開き戸」と記した場合は、片開き戸と枠体を含めた戸の形態を意味し、「開き戸１０」と記した場合は、扉単体を意味する。引戸も同じ）への実施例を示す説明図である。
【００３０】
図４に示すように、開き戸では先ず、戸口枠体１２の上角の近傍に、上下着磁の磁石１を一対の鉄板からなるヨーク５Ｄで上下に挟んで形成した磁石ユニット１５Ｄを、合成樹脂製のケース６Ｄ内に収めて複数のネジ４で固定する。このケース６Ｄは、開口した一側面から磁石ユニット１５Ｄを露出させ、戸当りの機能も果たしている。そして、開き戸１０の磁石１と対面する位置に、請求項２記載の板バネ２を請求項５記載の座板３及びネジ４で固定している。この座板３には長孔３Ａが設けられており、これに沿って座板３をスライドさせ、板バネ２の先端から座板先端までの長さを拡大または縮小させることにより、装置吸着力を一定範囲内で調整することができる。
【実施例４】
【００３１】
図８は磁石ユニット１５を内包したケース６を幅方向に断裁した斜視図である。磁石ユニット１５は、上下着磁の磁石１を凹状のヨーク５内に２枚の合成樹脂板７を左右に挟んだ構造としている。そしてこれの四方を囲む形で、合成樹脂製ケース６内に収める。この形態は装置の厚みを薄くできるので、引き戸用のマグネットキャッチに適する。磁石ユニット１５は、磁石１が磁力の強い種類のものほど当然小型化でき、取付け作業やコストの面で有利となる。尚、ケース６は底のある構造としても良いが、底無しとして磁石ユニット１５の厚みを極力薄くした方が、後述の埋設の事情等で有利である。
【００３２】
図５は請求項１〜６の何れかに記載の発明装置を戸袋１３に収納される形式の引戸に、隙間防止材９を用いて装置部材を埋設せず簡易的に取付けた場合を示す、概観図である。
【００３３】
図６は請求項２及び４〜６記載の発明装置の引戸への実施例の詳細を示す斜視図、図７は図６に於ける装置中央での縦断面図である。先ず、既述の磁石ユニット１５を引戸１１と当接する戸口枠体１２の側面の任意の位置に、２本のネジ４で固定する。
【００３４】
本例に示した板バネ２は請求項２を適用し、先端部２Ａを折り曲げて二重にした上、ケース６と同一幅とし、基部の幅を一定量縮小しているから、先端部２Ａの断面２次モーメントは基部より十分に高められている。これは既述のように、装置吸着力の最大値Ｍ２を維持しながら基部の柔軟性を高め、そのことにより引戻し限界位置ｘ２が増大して跳ね返り防止能力を高める効果を生む。そして、板バネ２の基部には、先端部２Ａの板厚差による初期歪効果に加えて、「く」の字状の初期歪を与えている。この板バネ２の上に既述の座板３を重ね、磁石１と対面する位置に２本のネジ４で引戸１１に固定する。
【００３５】
図６、７及び８に示すように、磁石ユニット１５は合成樹脂製ケース６内に収納されているが、ケース６の開口部周縁の高さを僅かにヨーク表面以上として、そこで板バネ２との主たる衝撃を受けるようにする。板バネ２の裏側に対しては、当接する引戸１１の部分に弾性皮膜８を貼付しているから、戸開閉時の作動音を減ずることができる。この弾性皮膜８は、板バネ２の表または裏面、またはケース６周縁部や磁石１表面に重複して貼付しても良い。尚、板バネ２基部の幅を先端部２Ａより縮小したことは、板バネ２による衝撃力を弱めるので、作動音と弾性皮膜８の損耗を減ずる効果も生む。
【００３６】
ところで、上記した何れの発明装置でも、袋戸形式の引戸のように戸の表または裏側に取付けることが困難なため、走行方向面に取付けたい場合、そのまま取付けては、それらの厚み分だけ引戸１１と枠体１２間に隙間を発生させるので、予めそれぞれの取付け位置に各厚み分の溝を掘り、埋設しなくてはならない（図１参照）。
【００３７】
本実施例では図５、６及び７に示すように、枠体１２の引戸１１走行方向面と当接する面に於いて、装置部材を埋設せずに取付けたことにより発生する両者間の隙間を埋めるよう、隙間防止材９を設けた。これにより、上記した袋戸形式の引戸で必要であった溝設置を不要とすることができ、本発明装置の取付けは極めて簡易化される。
【符号の説明】
【００３８】
Ｍ    磁石吸着力
Ｍ0    剛性受体が磁石の全面に吸着された時の吸着力
Ｍ２    板バネが磁石の吸着を振り切って離れる位置での磁石吸着力
Ｎ    磁石吸引力
Ｎ１    剛性受体が引寄せられてしまう限界位置での磁石吸引力
Ｐ    バネ力
ｘ    磁石と受体間、即ち、戸と枠体間の距離
ｘ１    剛性受体が磁石吸引力により引寄せられてしまう限界位置でのｘ値
ｘ２    板バネが磁石の吸着力を振り切って離れる限界位置でのｘ値
１    磁石
２    板バネ
２Ａ  板バネ先端部
２Ｂ  板バネ固定部
３    座板
３Ａ  長孔
４    ネジ
５    ヨーク
５Ｄ    ヨーク
６    ケース
６Ｄ  ケース
７    合成樹脂板
８    弾性皮膜
９    隙間防止材
１０  開き戸
１１  引戸
１２  戸口枠体
１３  戸袋
１４  鉄片
１５  磁石ユニット
１５Ｄ  磁石ユニット
【手続補正３】
【補正対象書類名】図面
【補正対象項目名】図１
【補正方法】変更
【補正の内容】
【図１】
2012172294.tif 000011
【手続補正書】
【提出日】平成23年11月21日(2011.11.21)
【手続補正１】
【補正対象書類名】特許請求の範囲
【補正対象項目名】全文
【補正方法】変更
【補正の内容】
【特許請求の範囲】
【請求項１】
可動体たる戸を枠体に係着するため、その何れか一方に磁石を固定し、他の一方に板バネをその片端だけで固定したことを特徴とする、板バネ式マグネットキャッチ。
【請求項２】
板バネの、磁石と対面する部分の少なくとも一部の板厚及び／または板幅を、それ以外の部分より大きくしたことを特徴とする、請求項１記載の板バネ式マグネットキャッチ。
【請求項３】
磁石と対面する鉄片を設け、その長さ方向中央部で板バネと接続したことを特徴とする、請求項１記載の板バネ式マグネットキャッチ。
【請求項４】
戸が閉じられた状態で、板バネの固定面方向へ一定のバネ力が掛かるよう、板バネに予め歪を与えたことを特徴とする、請求項１、２または３記載の板バネ式マグネットキャッチ。
【請求項５】
板バネの片端をネジで固定するための座板を設け、そのネジ孔は長孔とし、該座板を長孔に沿って移動させることにより、吸着力を調整できるようにしたことを特徴とする、請求項１、２、３または４記載の板バネ式マグネットキャッチ。
【請求項６】
ヨーク付き磁石ユニットを収納する合成樹脂製ケースを設け、そのケースの開口部周縁で板バネとの主たる衝撃を受けるようにすると共に、板バネの表、裏とそれに対面する部材面の中、何れか一つ以上の面に、弾性皮膜を貼付したことを特徴とする、請求項１、２、３、４または５記載の板バネ式マグネットキャッチ。
【手続補正２】
【補正対象書類名】明細書
【補正対象項目名】０００１
【補正方法】変更
【補正の内容】
【０００１】
本発明は、戸やカバー類などの開閉部材（扉を含め、以下、これらの総称として「戸」と記す）を枠体に係着した後、再び開く時（以下、「戸開時」と記す）の抵抗を軽減すると共に、戸の跳ね返りによる隙間発生を少なくする、板バネ式マグネットキャッチに関する。
【手続補正３】
【補正対象書類名】明細書
【補正対象項目名】０００４
【補正方法】変更
【補正の内容】
【０００４】
【特許文献１】特開２０００−２４８８１１号公報
【特許文献２】特開２００１−７３６１９号公報
【手続補正４】
【補正対象書類名】明細書
【補正対象項目名】０００７
【補正方法】変更
【補正の内容】
【０００７】
請求項１記載の発明は、可動体たる戸を枠体に係着するため、その一方に磁石を固定し、他の一方に、従来のマグネットキャッチでは剛性鉄片であるものを薄板バネに代え、それを片持ち支持方式で固定したことを特徴とし、以下の全ての発明の基本となるものである。ここで板バネは、それが直接磁石に接する構造の場合には、マグネットキャッチとしての基本条件から当然磁性体でなければならないが、後述の他の鉄片を介する構造の場合には、非磁性体でも良い。
【手続補正５】
【補正対象書類名】明細書
【補正対象項目名】０００８
【補正方法】変更
【補正の内容】
【０００８】
請求項２記載の発明は、請求項１記載の発明に対し、板バネの磁石と対面する部分（以下、「先端部」と記す）の少なくとも一部の断面２次モーメントを、板厚及び／または板幅を大きくすることにより、それ以外の部分（以下、「基部」と記す）より大きくしたことを特徴とする。板厚を部分的に厚くする方法としては、先端部を折り曲げて接合する方法が簡便であるが、磁石と対面する鉄片を設け、その全面で板バネと接合しても良い。
【手続補正６】
【補正対象書類名】明細書
【補正対象項目名】００１２
【補正方法】変更
【補正の内容】
【００１２】
請求項６記載の発明は、請求項１〜５記載の夫々の発明に対し、ヨーク付き磁石ユニットを収納する合成樹脂製ケースを設け、そのケースの開口部周縁で板バネとの主たる衝撃を受けるようにすると共に、板バネの表、裏とそれに対面する部材（即ち、磁石、ケースの開口部周縁及び板バネの固定基盤たる、戸または枠体）面の中、何れか一つ以上の面に、弾性皮膜を貼付したことを特徴とする。
【手続補正７】
【補正対象書類名】明細書
【補正対象項目名】００１４
【補正方法】変更
【補正の内容】
【００１４】
ある重さの戸に固定されたマグネットキャッチの剛性受体が、枠体に固定された磁石の全面に吸着された時の吸着力をＭ0、磁石と受体間（即ち、戸と枠体間）の距離をｘ、受体が磁石から離れた位置から吸引力Ｎにより引寄せられてしまう限界位置をｘ１、その時の吸引力をＮ１とすると、磁石吸引力ＮはＭ0（ｘ＝０、図１「イ」の状態）からほぼｘ2に反比例して減衰することが一般に知られている。従って明らかに、従来のマグネットキャッチでは、戸を開くためにはＭ0以上の強い外力が初めに必要であり、受体が磁石から離脱後も吸引力Ｎが働くものの、それは急激に減衰してｘ＞ｘ１となれば、跳ね返った戸が引き戻されることはない。
【手続補正８】
【補正対象書類名】明細書
【補正対象項目名】００１６
【補正方法】変更
【補正の内容】
【００１６】
一方、マグネットキャッチの戸を引き戻す能力は、発生した跳ね返りエネルギーの吸収量の問題として検証することができる。それは従来マグネットキャッチでは、磁石吸引力Ｎに抗しながら戸を０からｘ１まで移動させる仕事量であり、かつ、Ｎはｘ2に反比例して凹曲線状にＭ0からＮ１まで減衰するから、ｘ１（Ｍ0＋Ｎ１）／２未満である。ここで、戸開時抵抗力が０．５ｋｇ程度、磁石ユニットの吸着力が２．５ｋｇ程度の場合を想定して、仮にＮ１／Ｍ0＝０．２とすると、上記エネルギー量は０．６ｘ１Ｍ0未満である。即ち、これを超えるエネルギー量の跳ね返りを生じさせた場合は、ｘ＞ｘ１となって戸を引き戻すことができない。
【手続補正９】
【補正対象書類名】明細書
【補正対象項目名】００１８
【補正方法】変更
【補正の内容】
【００１８】
請求項１記載の発明では既述のように、装置吸着力の最大値Ｍ２はＭ0以下であるが、これは跳ね返り防止能力を左右する因子でもあるため、小さ過ぎても不満足である。そこで請求項２記載の発明では、板バネ先端部の少なくとも一部の断面２次モーメントを基部より大きくしたから、ｘ＝ｘ２の場面でも板バネと磁石の接触面積の縮小は抑制され、その結果として基部の柔軟性を維持しながら、装置吸着力の最大値Ｍ２の過小化を防ぐことができる。本発明の更なる応用として、一定範囲内（板バネがＭ２で降伏しない範囲）で積極的に基部の板幅を先端部より縮小すれば、そのバネ定数が低下するから、同値のＭ２を維持しながらｘ２を拡大し、跳ね返り防止能力を高めることができる。尚、角材の断面２次モーメントは板厚の３乗と板幅に比例することは、周知である。
【手続補正１０】
【補正対象書類名】明細書
【補正対象項目名】００２８
【補正方法】変更
【補正の内容】
【００２８】
図３に、請求項３、４及び５記載の発明装置の実施例を示すが、磁石１と対面する鉄片１４は、その長さ方向中央部で板バネ２と溶接等の手段で固着されている。板バネ２の固定部２Ｂより下方は、鉄片１４に対して自由であるから、バネ力は鉄片１４の長さ方向中央部を中心に均等に働く。板バネ２の基部には、請求項４記載の初期歪を「く」の字状に与えているため、戸閉時に引戸１１へ一定のバネ力が働く。
【手続補正１１】
【補正対象書類名】明細書
【補正対象項目名】００３５
【補正方法】変更
【補正の内容】
【００３５】
図６、７及び８に示すように、磁石ユニット１５は合成樹脂製ケース６内に収納されているが、ケース６の開口部周縁の高さを僅かにヨーク表面以上として、そこで板バネ２との主たる衝撃を受けるようにする。更に、板バネ２の裏側に対しては、当接する引戸１１の部分に弾性皮膜８を貼付しているから、戸開閉時の作動音を減ずることができる。この弾性皮膜８は、板バネ２の表または裏面、またはケース６周縁部や磁石１表面に重複して貼付しても良い。尚、板バネ２基部の幅を先端部２Ａより縮小したことは、板バネ２による衝撃力を弱めるので、作動音と弾性皮膜８の損耗を減ずる効果も生む。
【手続補正書】
【提出日】平成24年3月26日(2012.3.26)
【手続補正１】
【補正対象書類名】特許請求の範囲
【補正対象項目名】全文
【補正方法】変更
【補正の内容】
【特許請求の範囲】
【請求項１】
戸を枠体に係着するため、その何れか一方に磁石を固定し、他の一方に板バネをその後端部で固定し、前端部に磁着受部を設ける構成のマグネットキャッチに於いて、該磁着受部の少なくとも一部の板厚及び／または板幅を、磁着受部以外の板バネ主体部以上とし、更に、板バネ側面視形状が「く」の字形であって、くの字の谷側が板バネ固定面に向くよう前記主体部に変形を与えるか、及び／または前記磁着受部の板厚を主体部より大きくし、板厚の段差がある側を板バネ固定面に向けて板バネ後端部を固定することにより、戸が閉じられた状態で板バネ固定面を押す方向へ初期バネ力が掛かるようにしたことを特徴とする、板バネ式マグネットキャッチ。
【請求項２】
磁石に対向する鉄片を設けて磁着受部とし、その長さ中央部で板バネと接合したことを特徴とする、請求項１記載の板バネ式マグネットキャッチ。
【手続補正２】
【補正対象書類名】明細書
【補正対象項目名】全文
【補正方法】変更
【補正の内容】
【発明の詳細な説明】
【技術分野】
【０００１】
本発明は、戸やカバー類などの開閉部材（扉を含め、以下、これらの総称として「戸」と記す）を枠体に係着した後、再び開く時（以下、「戸開時」と記す）の抵抗を軽減すると共に、戸の跳ね返りによる隙間発生を少なくする、板バネ式マグネットキャッチに関する。
【背景技術】
【０００２】
マグネットキャッチは、戸を枠体に係着する簡便な装置として広く利用されているが、幾つかの問題点がある。その一つは、比較的大きな係着力を得ようとすると、戸開時の抵抗が大きくなり、軽い力で滑らかに開けないことがしばしば起こることである。この対策案として一つには、折畳みドア用に考えられた発明ではあるが、磁石と対向する受体側を弾性に富んだ帯状板片とする構造の発明が既になされている。
【０００３】
また、引戸には、特に戸車を備えた軽快な引戸に於いて、閉めた時（以下、「戸閉時」と記す）に跳ね返りによる隙間が生じ易いという問題がある。これと上記戸開時抵抗力の問題も含めた対策案として、磁石を円柱状とし、磁石の底部にコイルスプリングを組み込んだ構造の発明が既になされている。
【先行技術文献】
【特許文献】
【０００４】
【特許文献１】特開２０００−２４８８１１号公報
【特許文献２】特開昭５４−１０９２２７号公報
【発明の概要】
【発明が解決しようとする課題】
【０００５】
磁石の底部にコイルスプリングを組込む上記特許文献１の発明は、引戸の跳ね返り防止効果に優れ、磁石が受体に及ぼす吸着力は従来装置と同じままであるが、戸が枠体から離れて受体が磁石を振り切るまでの間に慣性を得て、実感としての戸開時抵抗力を減少させるであろう。これはバネの効果により、戸開時抵抗力は磁石吸着力に等しいという従来概念を破る端緒を与えたものとして、注目される。しかし、コイルスプリングの付いた磁石の埋設作業等、その取り付けが一般家庭では容易に行えないことや、コスト高がその普及を妨げていると思われる。一方、折畳みドアに対する上記特許文献２の発明は、戸の係着力を過小化させてしまう場合があり、また、両発明の共通の問題点として、装置による吸着力はバネ力に等しくなるから、戸を閉じた状態での吸着力は微弱であり、そのため不安定となり、例えば震動が起こった場合に騒音を発したりすることが懸念される。
【０００６】
本発明が解決しようとする課題は、戸開時抵抗の軽減及び円滑化と、安定した戸閉状態の維持を両立させると共に、戸の跳ね返りによる隙間発生を減少させるようなマグネットキャッチを、簡単構造で、かつ、既存の戸への取付けも容易なように、提供することである。
【課題を解決するための手段】
【０００７】
請求項１記載の発明は、可動体たる戸を枠体に係着するため、その一方に磁石を固定し、他の一方に板バネをその後端部で固定し、前端部に磁着受部を設ける構成のマグネットキャッチに於いて、該磁着受部の少なくとも一部の板厚及び／または板幅を、磁着受部以外の板バネ主体部（以下、「主体部」と記す）以上とし、更に、板バネを固定する時点で板バネの固定面を押す方向へ初期バネ力が生じ、その力で板バネ静止時に自身を常に固定面に押し付けるようにした。
【０００８】
磁着受部板厚を主体部より厚くする方法としては、板厚差のある板材を用いる方法以外に、磁着受部を折り曲げて接合する方法が簡便であるが、磁石に対向する鉄片を設け、その全面で板バネと接合しても良く、本発明ではその方法に拘らない。
【０００９】
前記初期バネ力を与える方法としては、板バネ側面視形状が「く」の字形であって、くの字の谷側が板バネ固定面に向くよう前記主体部に僅かな変形を与える方法、板バネ磁着受部の板厚を主体部より大きくし、板厚の段差がある側を固定面に向けて板バネを固定する方法、及びそれらを併用する方法がある。
【００１０】
請求項２記載の発明は、請求項１記載の発明に対し、磁石に対向する鉄片を設けて磁着受部とし、その長さ中央部で溶接等の手段により板バネと局部的に接合し、接合していない重なり部は離着自由とした。
【発明の効果】
【００１１】
図１は、請求項１の発明に掛かる板バネ式マグネットキャッチの基本原理を説明するため、装置の骨子を横方向に誇張し、その挙動を段階的に示した断面図である。
【００１２】
ある重さの戸に固定されたマグネットキャッチの剛性受体が、枠体に固定された磁石の全面に吸着された時の吸着力をＭ0、磁石と受体間（即ち、戸と枠体間）の距離をｘ、受体が磁石から離れた位置から吸引力Ｎにより引寄せられてしまう限界位置をｘ１、その時の吸引力をＮ１とすると、磁石吸引力ＮはＭ0（ｘ＝０、図１「イ」の状態）からほぼｘ2に反比例して減衰することが一般に知られている。従って明らかに、バネが組み込まれていない従来のマグネットキャッチでは、戸を開くためにはＭ0以上の強い外力が初め一挙に必要であり、受体が磁石から離脱後も吸引力Ｎが働くものの、それは急激に減衰してｘ＞ｘ１となれば、跳ね返った戸が引き戻されることはない。
【００１３】
ところが、受体を板バネに置き換えると、磁石吸着力をＭ、バネ力をＰとして、ｘ１の位置では図１「ロ」の状態になり、ｘ＞ｘ１となっても、Ｍ＞Ｐである限り、磁石は依然として板バネの少なくとも一部を吸着したままであり、外力が弱まればバネ力Ｐにより戸は引戻される。外力が強まるとｘが増していき、板バネは戸の動きに引きずられて図１「ハ」の状態となる。磁石と板バネの接触面積は縮小するから、磁石吸着力Ｍは急速に減少し、遂にｘに比例して増大するバネ力Ｐの方が大きくなり、板バネは磁石の吸着を振り切って離れる。その限界の状態を図１「ニ」、ｘ＝ｘ２、Ｍ＝Ｍ２とすると、当然、ｘ１＜ｘ２、Ｍ２＜Ｍ0である。即ち、板バネ式マグネットキャッチでは、Ｍ0より小さな力Ｍ２で戸を開くことができ、明らかに従来のマグネットキャッチで戸開時の抵抗が大きいという弱点を、軽減することができる。しかも、このように本発明の装置としての吸着力（以下、「装置吸着力」と記す。これは、ばね力Ｐに等しい）は、磁石と受体間の距離ｘに伴い磁石吸着力Ｍが徐々にバネ力Ｐとして蓄積され、従来装置の場合とは全く様相が異なって逆に最大値Ｍ２まで増大していくから、従来より滑らかに戸を開くことができる。
【００１４】
一方、マグネットキャッチの跳ね返った戸を引戻す能力は、バネが組み込まれていない従来のマグネットキャッチでは、受体が磁石から離脱してしまえば、磁石吸引力Ｎは急速に減衰するから僅かな距離ｘ１で戸を引戻すことができなくなるのに対し、板バネ式マグネットキャッチでは、既述したように、戸の引戻し可能領域がｘ１を大きく超えてｘ２まで拡大する。しかも、バネ力Ｐと距離ｘは比例関係にあるから、従来装置とは全く逆に戸が枠体から離れるほど引戻し力が増大する。但し、前記のＭ２＜Ｍ0という限界がある。
【００１５】
既述のように、装置吸着力の最大値Ｍ２はＭ0以下であるが、これは戸を係着する力そのものであるし、跳ね返り防止能力を左右する因子でもあるため、小さ過ぎても不満足である。そこで本発明では、磁着受部の少なくとも一部の板幅及び／または板厚を主体部以上として、断面２次モーメントを大きくできるようにしたから、ｘ＝ｘ２の場面でも板バネと磁石の接触面積の縮小は抑制され、その結果として主体部の柔軟性を維持しながら、装置吸着力の最大値Ｍ２の過小化を防ぐことができる。他方、板バネがＭ２で降伏しない範囲で積極的に主体部の板幅を磁着受部より縮小すれば、磁着受部は元のまま主体部のバネ定数が低下するから、同値のＭ２を維持しながらｘ２を拡大し、跳ね返り防止能力を高めることができる。
【００１６】
また、装置吸着力Ｍはバネ力Ｐに等しいから、戸閉状態を保持する力、即ちｘ＝０近辺に於ける装置吸着力は微弱となるため、僅少な間隙は発生しても直ぐに引戻されるとは言え、戸閉状態が不安定となる可能性がある。そこで本発明では、図１、３、６及び７に示すように、主体部に予め変形を与えて板バネ固定時に初期バネ力を蓄えたから、戸閉状態で一定のバネ力を確保できるようにした。板バネへの初期バネ力は、図２に示すように、板バネ磁着受部を主体部より厚くした場合には、板厚の段差がある側を固定面に向けて板バネを固定することによっても幾らか得られるが、これで不十分な場合には、図６に示すように、前記主体部に変形を与える方法と併用すれば良い。
【００１７】
上記の通り、請求項１記載の発明ではある程度Ｍ２を大きくすることができるが、戸開時の外力の増大と共に板バネは片持ちで磁石から後方より徐々に引き離されていくから、Ｍ２はＭ0と等値まではなり得ない。そこで請求項２記載の発明では、磁石と対面する部分を剛性鉄片とし、その長さ中央部にバネ力が負荷され、戸開時鉄片は片端から徐々にではなくほぼ一挙に磁石から離脱するようにしたから、Ｍ２をＭ0と等値または等値付近にまで高めることができる。即ち、請求項１の発明は、一挙に大きな戸開時抵抗力を発生させるという従来装置の弱点を改善することができるものの、戸を係着する力は大きく減じたくないという要求には、磁石吸着力を上げるしかないのに対し、請求項２の発明は磁石をそのままで、該要求を満足させることができる。このことにより戸開時抵抗力は従来抵抗値Ｍ0に接近してしまうが、該抵抗を円滑化する効果は維持し、かつ、一定のバネ定数の下では戸閉時の跳ね返り防止能力を最大に高めることができる。
【００１８】
以上述べた通り、本発明による装置は何れも極めて簡単な構造であり、かつ、取付け容易であるため、経済的にも有利である。
【図面の簡単な説明】
【００１９】
【図１】図１は、本発明の基本原理を説明するための図である。
【図２】図２は、請求項１記載の発明装置の実施例を説明するための図である。（実施例１）
【図３】図３は、請求項２記載の発明装置の実施例を説明するための図である。（実施例２）
【図４】図４は、請求項１記載の発明装置の開き戸への実施例を説明するための図である。（実施例３）
【図５】図５は、請求項１または２に記載の発明装置を、戸袋に収納される形式の引戸に、隙間防止材を用いて簡易的に取付けた場合を示す、概観図である。（実施例１、２、４）
【図６】図６は、請求項１記載の発明装置の引戸への実施例を説明するための図である。（実施例４）
【図７】図７は、板バネが磁石に吸着された状態での、図６に於ける装置中央での縦断面図である。（実施例４）
【発明を実施するための形態】
【００２０】
戸開時の抵抗の軽減及び円滑化と、安定した戸閉状態の維持を両立させると共に、戸の跳ね返りによる隙間発生を減少させ、戸袋に収納される形式の引戸にも利用できるようなマグネットキャッチを、簡単構造で、かつ、既存の戸への取付けも容易に行えるように、実現した。
【実施例１】
【００２１】
図２に、請求項１記載の発明装置の実施例を示すが、磁石１に対向する磁着受部２Ａは、折り曲げ後固着され、主体部より２倍の厚みにしてある。従い、この部分は主体部との板厚比の３乗、即ち８倍の断面２次モーメントを持ち、著しく変形抵抗を増している。この磁着受部２Ａの板厚段差がある側を固定面に向けたから、その部分は取付け時に差厚分だけ固定面から押し上げられ、初期バネ力を自動的に得ている。
【実施例２】
【００２２】
図３に、請求項２記載の発明装置の実施例を示すが、磁石１に対向する鉄片１４は、その長さ中央部で板バネ２と溶接等の手段で固着されている。板バネ２の接合部２Ｂより下方の重なり部は、鉄片１４に対して離着自由であるから、バネ力は鉄片１４の長さ中央部を中心にほぼ均等に働く。板バネ２の主体部には、板バネ側面視が「く」の字形となるよう予め僅かに変形を与えているため、くの字の谷側が板バネ固定面に向くよう板バネを取付けた時に、接合部２Ｂが固定面より押し上げられて初期バネ力が生成され、これにより戸閉時に引戸１１へ一定のバネ力が働く。
【実施例３】
【００２３】
図４は、請求項１記載の発明装置の開き戸（以下、「開き戸」と記した場合は、片開き戸と枠体を含めた戸の形態を意味し、「開き戸１０」と記した場合は、扉単体を意味する。引戸も同じ）への実施例を示す説明図である。
【００２４】
図４に示すように、開き戸では先ず、戸口枠体１２の上角の近傍に、上下着磁の磁石１を一対の鉄板からなるヨーク５Ｄで上下に挟んで形成した磁石ユニット１５Ｄを、合成樹脂製のケース６Ｄ内に収めて複数のネジ４で固定する。このケース６Ｄは、開口した一側面から磁石ユニット１５Ｄを露出させ、戸当りの機能も果たしている。そして、開き戸１０の磁石１と磁着受部２Ａが対向するよう、板バネ主体部後端を座板３及びネジ４で固定している。この座板３には長孔３Ａが設けられており、これに沿って座板３をスライドさせ、板バネ２の先端から座板先端までの長さを拡大または縮小させることにより、装置吸着力を一定範囲内で調整することができる。
【実施例４】
【００２５】
図５は請求項１または２に記載の発明装置を戸袋１３に収納される形式の引戸に、隙間防止材９を用いて装置部材を埋設せず簡易的に取付けた場合を示す、概観図である。
【００２６】
図６は請求項１記載の発明装置の引戸への実施例の詳細を示す斜視図、図７は板バネ２が磁石１に吸着された状態での、図６に於ける装置中央での縦断面図である。上下着磁の磁石１を凹状のヨーク５内に収めて成る磁石ユニット１５は、合成樹脂製ケース６内に収められている。先ず、これを引戸１１と当接する戸口枠体１２の側面の任意の位置に、２本のネジ４で固定する。
【００２７】
本例に示した板バネ２は磁着受部２Ａを折り曲げて二重にした上、ケース６と同一幅とし、主体部の幅を一定量縮小しているから、磁着受部２Ａの断面２次モーメントは主体部より十分に高められている。そして、主体部には磁着受部２Ａの板厚差による初期バネ力効果に加えて、側面視が「く」の字形の変形を与えている。この主体部後端の上に既述の座板３を重ね、磁石１と対面する位置に２本のネジ４で引戸１１に固定する。
【００２８】
図６及び７に示すように、磁石ユニット１５は合成樹脂製ケース６内に収納されているが、ケース６の開口部周縁の高さを僅かにヨーク表面以上として、そこで板バネ２との主たる衝撃を受けるようにする。更に、板バネ２の裏側に対しては、当接する引戸１１の部分に弾性皮膜８を貼付しているから、戸開閉時の作動音を減ずることができる。この弾性皮膜８は、板バネ２の表または裏面、またはケース６周縁部や磁石１表面に重複して貼付しても良い。
【００２９】
ところで、上記した何れの発明装置でも、袋戸形式の引戸のように戸の表または裏側に取付けることが困難なため、走行方向面に取付けたい場合、そのまま取付けては、それらの厚み分だけ引戸１１と枠体１２間に隙間を発生させるので、図１に概略示したように、予めそれぞれの取付け位置に各厚み分の溝を掘り、埋設しなくてはならない。
【００３０】
本実施例では図５、６及び７に示すように、枠体１２の引戸１１走行方向面と当接する面に於いて、装置部材を埋設せずに取付けたことにより発生する両者間の隙間を埋めるよう、隙間防止材９を設けた。これにより、上記した袋戸形式の引戸で必要であった溝設置を不要とすることができ、本発明装置の取付けは極めて簡易化される。
【符号の説明】
【００３１】
Ｍ    磁石吸着力
Ｍ0    剛性受体が磁石の全面に吸着された時の吸着力
Ｍ２    板バネが磁石の吸着を振り切って離れる位置での磁石吸着力
Ｎ    磁石吸引力
Ｎ１    剛性受体が引寄せられてしまう限界位置での磁石吸引力
Ｐ    バネ力
ｘ    磁石と受体間、即ち、戸と枠体間の距離
ｘ１    剛性受体が磁石吸引力により引寄せられてしまう限界位置でのｘ値
ｘ２    板バネが磁石の吸着力を振り切って離れる限界位置でのｘ値
１    磁石
２    板バネ
２Ａ  磁着受部
２Ｂ  接合部
３    座板
３Ａ  長孔
４    ネジ
５    ヨーク
５Ｄ    ヨーク
６    ケース
６Ｄ  ケース
８    弾性皮膜
９    隙間防止材
１０  開き戸
１１  引戸
１２  戸口枠体
１３  戸袋
１４  鉄片
１５  磁石ユニット
１５Ｄ  磁石ユニット
【手続補正３】
【補正対象書類名】図面
【補正対象項目名】図２
【補正方法】変更
【補正の内容】
【図２】
2012172294.tif 000012
【手続補正４】
【補正対象書類名】図面
【補正対象項目名】図３
【補正方法】変更
【補正の内容】
【図３】
2012172294.tif 000013
【手続補正５】
【補正対象書類名】図面
【補正対象項目名】図８
【補正方法】削除
【補正の内容】
【手続補正書】
【提出日】平成24年4月7日(2012.4.7)
【手続補正１】
【補正対象書類名】特許請求の範囲
【補正対象項目名】全文
【補正方法】変更
【補正の内容】
【特許請求の範囲】
【請求項１】
戸を枠体に係着するため、その何れか一方に磁石を固定し、他の一方に板バネをその片端だけで固定する構成のマグネットキャッチに於いて、板バネの磁石と対向する部分（磁着受部）の少なくとも一部の板厚及び／または板幅を、それ以外の部分（主体部）以上とし、更に、板バネ側面視形状が「く」の字形であって、くの字の谷側が板バネ固定面に向くよう前記主体部に変形を与えるか、及び／または前記磁着受部の板厚を主体部より大きくし、板厚の段差がある側を板バネ固定面に向けて主体部後端を固定することにより、戸が閉じられた状態で板バネ固定面を押す方向へ初期バネ力が掛かるようにしたことを特徴とする、板バネ式マグネットキャッチ。
【請求項２】
磁石に対向する鉄片を設けて磁着受部とし、その長さ方向中央部で板バネと接続したことを特徴とする、請求項１記載の板バネ式マグネットキャッチ。
【手続補正２】
【補正対象書類名】明細書
【補正対象項目名】全文
【補正方法】変更
【補正の内容】
【発明の詳細な説明】
【技術分野】
【０００１】
本発明は、戸やカバー類などの開閉部材（扉を含め、以下、これらの総称として「戸」と記す）を枠体に係着した後、再び開く時（以下、「戸開時」と記す）の抵抗を軽減すると共に、戸の跳ね返りによる隙間発生を少なくする、板バネ式マグネットキャッチに関する。
【背景技術】
【０００２】
マグネットキャッチは、戸を枠体に係着する簡便な装置として広く利用されているが、幾つかの問題点がある。その一つは、比較的大きな係着力を得ようとすると、戸開時の抵抗が大きくなり、軽い力で滑らかに開けないことがしばしば起こることである。
【０００３】
また、引戸には、特に戸車を備えた軽快な引戸に於いて、閉めた時（以下、「戸閉時」と記す）に跳ね返りによる隙間が生じ易いという問題がある。これと上記戸開時抵抗力の問題も含めた対策案として、磁石を円柱状とし、磁石の底部にコイルスプリングを組み込んだ構造の発明が既になされている。
【先行技術文献】
【特許文献】
【０００４】
【特許文献１】特開２０００−２４８８１１号公報
【特許文献２】特開２００１−７３６１９号公報
【発明の概要】
【発明が解決しようとする課題】
【０００５】
磁石の底部にコイルスプリングを組込む上記発明２件は、引戸の跳ね返り防止効果に優れ、磁石が受体に及ぼす吸着力は従来装置と同じままであるが、戸が枠体から離れて受体が磁石を振り切るまでの間に慣性を得て、実感としての戸開時抵抗力を減少させるであろう。これはバネの効果により、戸開時抵抗力は磁石吸着力に等しいという従来概念を破る端緒を与えたものとして、注目される。しかし、コイルスプリングの付いた磁石の埋設作業等、その取り付けが一般家庭では容易に行えないことや、コスト高がその普及を妨げていると思われる。また、装置による吸着力はバネ力に等しくなるから、戸を閉じた状態での吸着力は微弱であり、そのため不安定となり、例えば震動が起こった場合に騒音を発したりすることが懸念される。
【０００６】
本発明が解決しようとする課題は、戸開時抵抗の軽減及び円滑化と、安定した戸閉状態の維持を両立させると共に、戸の跳ね返りによる隙間発生を減少させるようなマグネットキャッチを、簡単構造で、かつ、既存の戸への取付けも容易なように、提供することである。
【課題を解決するための手段】
【０００７】
請求項１記載の発明は、可動体たる戸を枠体に係着するため、その一方に磁石を固定し、他の一方に板バネをその片端だけで固定する構成のマグネットキャッチに於いて、磁着受部の少なくとも一部の板厚及び／または板幅を、板バネ主体部以上とし、更に、板バネを固定する時点で板バネの固定面を押す方向へ初期バネ力が生じ、その力で板バネ静止時に自身を常に固定面に押し付けるようにした。
【０００８】
磁着受部板厚を主体部より厚くする方法としては、磁着受部を折り曲げて接合する方法が簡便であるが、磁石に対向する鉄片を設け、その全面で板バネと接合しても良く、本発明ではその方法に拘らない。
【０００９】
前記初期バネ力を与える方法としては、板バネ側面視形状が「く」の字形であって、くの字の谷側が板バネ固定面に向くよう前記主体部に僅かな変形を与える方法、板バネ磁着受部の板厚を主体部より大きくし、板厚の段差がある側を固定面に向けて主体部後端を固定する方法、及びそれらを併用する方法がある。
【００１０】
請求項２記載の発明は、請求項１記載の発明に対し、磁石に対向する鉄片を設けて磁着受部とし、その長さ方向中央部で溶接等の手段により板バネと局部的に接続し、接続していない重なり部は離着自由とした。
【発明の効果】
【００１１】
図１は、請求項１の発明に掛かる板バネ式マグネットキャッチの基本原理を説明するため、装置の骨子を横方向に誇張し、その挙動を段階的に示した断面図である。
【００１２】
ある重さの戸に固定されたマグネットキャッチの剛性受体が、枠体に固定された磁石の全面に吸着された時の吸着力をＭ0、磁石と受体間（即ち、戸と枠体間）の距離をｘ、受体が磁石から離れた位置から吸引力Ｎにより引寄せられてしまう限界位置をｘ１、その時の吸引力をＮ１とすると、磁石吸引力ＮはＭ0（ｘ＝０、図１「イ」の状態）からほぼｘ2に反比例して減衰することが一般に知られている。従って明らかに、バネが組み込まれていない従来のマグネットキャッチでは、戸を開くためにはＭ0以上の強い外力が初め一挙に必要であり、受体が磁石から離脱後も吸引力Ｎが働くものの、それは急激に減衰してｘ＞ｘ１となれば、跳ね返った戸が引き戻されることはない。
【００１３】
ところが、受体を板バネに置き換えると、磁石吸着力をＭ、バネ力をＰとして、ｘ１の位置では図１「ロ」の状態になり、ｘ＞ｘ１となっても、Ｍ＞Ｐである限り、磁石は依然として板バネの少なくとも一部を吸着したままであり、外力が弱まればバネ力Ｐにより戸は引戻される。外力が強まるとｘが増していき、板バネは戸の動きに引きずられて図１「ハ」の状態となる。磁石と板バネの接触面積は縮小するから、磁石吸着力Ｍは急速に減少し、遂にｘに比例して増大するバネ力Ｐの方が大きくなり、板バネは磁石の吸着を振り切って離れる。その限界の状態を図１「ニ」、ｘ＝ｘ２、Ｍ＝Ｍ２とすると、当然、ｘ１＜ｘ２、Ｍ２＜Ｍ0である。即ち、板バネ式マグネットキャッチでは、Ｍ0より小さな力Ｍ２で戸を開くことができ、明らかに従来のマグネットキャッチで戸開時の抵抗が大きいという弱点を、軽減することができる。しかも、このように本発明の装置としての吸着力（以下、「装置吸着力」と記す。これは、ばね力Ｐに等しい）は、磁石と受体間の距離ｘに伴い磁石吸着力Ｍが徐々にバネ力Ｐとして蓄積され、従来装置の場合とは全く様相が異なって逆に最大値Ｍ２まで増大していくから、従来より滑らかに戸を開くことができる。
【００１４】
一方、マグネットキャッチの跳ね返った戸を引戻す能力は、バネが組み込まれていない従来のマグネットキャッチでは、受体が磁石から離脱してしまえば、磁石吸引力Ｎは急速に減衰するから僅かな距離ｘ１で戸を引戻すことができなくなるのに対し、板バネ式マグネットキャッチでは、既述したように、戸の引戻し可能領域がｘ１を大きく超えてｘ２まで拡大する。しかも、バネ力Ｐと距離ｘは比例関係にあるから、従来装置とは全く逆に戸が枠体から離れるほど引戻し力が増大する。但し、前記のＭ２＜Ｍ0という限界がある。
【００１５】
既述のように、装置吸着力の最大値Ｍ２はＭ0以下であるが、これは戸を係着する力そのものであるし、跳ね返り防止能力を左右する因子でもあるため、小さ過ぎても不満足である。そこで本発明では、磁着受部の少なくとも一部の板幅及び／または板厚を主体部以上として、断面２次モーメントを大きくできるようにしたから、ｘ＝ｘ２の場面でも板バネと磁石の接触面積の縮小は抑制され、その結果として主体部の柔軟性を維持しながら、装置吸着力の最大値Ｍ２の過小化を防ぐことができる。他方、板バネがＭ２で降伏しない範囲で積極的に主体部の板幅を磁着受部より縮小すれば、磁着受部は元のまま主体部のバネ定数が低下するから、同値のＭ２を維持しながらｘ２を拡大し、跳ね返り防止能力を高めることができる。
【００１６】
また、戸開時の抵抗を減少させることは、一方では、戸閉状態を保持する力、即ちｘ＝０に於ける装置吸着力、を低下させることを意味するので、僅少な間隙は発生しても直ぐに引戻されるとは言え、戸閉状態が不安定となる可能性がある。そこで本発明では、図１、３、６及び７に示すように、主体部に予め変形を与えて板バネ固定時に初期バネ力を蓄えたから、戸閉状態で一定のバネ力を確保できるようにした。板バネへの初期バネ力は、図２に示すように、板バネ磁着受部を主体部より厚くした場合には、板厚の段差がある側を固定面に向けて主体部後端を固定することによっても幾らか得られるが、これで不十分な場合には、図６に示すように、前記主体部に変形を与える方法と併用すれば良い。
【００１７】
上記の通り、請求項１記載の発明ではある程度Ｍ２を大きくすることができるが、戸開時の外力の増大と共に板バネは片持ちで磁石から後方より徐々に引き離されていくから、Ｍ２はＭ0と等値まではなり得ない。そこで請求項２記載の発明では、磁石と対向する部分を剛性鉄片とし、その長さ方向中央部にバネ力が負荷され、戸開時鉄片は片端から徐々にではなく一挙に磁石から離脱するようにしたから、Ｍ２をＭ0と等値まで高めることができる。即ち、請求項１の発明は、一挙に大きな戸開時抵抗力を発生させるという従来装置の弱点を改善することができるものの、戸を係着する力は大きく減じたくないという要求には、磁石吸着力を上げるしかないのに対し、請求項２の発明は磁石をそのままで、該要求を満足させることができる。このことにより戸開時抵抗力は従来抵抗値Ｍ0に接近してしまうが、該抵抗を円滑化する効果は維持し、かつ、一定のバネ定数の下では戸閉時の跳ね返り防止能力を最大に高めることができる。
【００１８】
以上述べた通り、本発明による装置は何れも極めて簡単な構造であり、かつ、取付け容易であるため、経済的にも有利である。
【図面の簡単な説明】
【００１９】
【図１】本発明の基本原理を説明するための図である。
【図２】請求項１記載の発明装置の実施例を説明するための図である。（実施例１）
【図３】請求項２記載の発明装置の実施例を説明するための図である。（実施例２）
【図４】請求項１記載の発明装置の開き戸への実施例を説明するための図である。（実施例３）
【図５】請求項１または２に記載の発明装置を、戸袋に収納される形式の引戸に、隙間防止材を用いて簡易的に取付けた場合を示す、概観図である。（実施例１、２、４）
【図６】請求項１記載の発明装置の引戸への実施例を説明するための図である。（実施例４）
【図７】板バネが磁石に吸着された状態での、図６に於ける装置中央での縦断面図である。（実施例４）
【発明を実施するための形態】
【００２０】
戸開時の抵抗の軽減及び円滑化と、安定した戸閉状態の維持を両立させると共に、戸の跳ね返りによる隙間発生を減少させ、戸袋に収納される形式の引戸にも利用できるようなマグネットキャッチを、簡単構造で、かつ、既存の戸への取付けも容易に行えるように、実現した。
【実施例１】
【００２１】
図２に、請求項１記載の発明装置の実施例を示すが、磁石１に対向する磁着受部２Ａは、折り曲げ後固着され、主体部より２倍の厚みにしてある。従い、この部分は主体部との板厚比の３乗、即ち８倍の断面２次モーメントを持ち、著しく変形抵抗を増している。この磁着受部２Ａの板厚段差がある側を固定面に向けたから、その部分は取付け時に差厚分だけ固定面から押し上げられ、初期バネ力を自動的に得ている。
【実施例２】
【００２２】
図３に、請求項２記載の発明装置の実施例を示すが、磁石１に対向する鉄片１４は、その長さ方向中央部で板バネ２と溶接等の手段で固着されている。板バネ２の固定部２Ｂより下方の重なり部は、鉄片１４に対して離着自由であるから、バネ力は鉄片１４の長さ方向中央部を中心に均等に働く。板バネ２の主体部には、板バネ側面視が「く」の字形となるよう予め僅かに変形を与えているため、くの字の谷側が板バネ固定面に向くよう板バネを取付けた時に、固定部２Ｂが固定面より押し上げられて初期バネ力が生成され、これにより戸閉時に引戸１１へ一定のバネ力が働く。
【実施例３】
【００２３】
図４は、請求項１記載の発明装置の開き戸（以下、「開き戸」と記した場合は、片開き戸と枠体を含めた戸の形態を意味し、「開き戸１０」と記した場合は、扉単体を意味する。引戸も同じ）への実施例を示す説明図である。
【００２４】
図４に示すように、開き戸では先ず、戸口枠体１２の上角の近傍に、上下着磁の磁石１を一対の鉄板からなるヨーク５Ｄで上下に挟んで形成した磁石ユニット１５Ｄを、合成樹脂製のケース６Ｄ内に収めて複数のネジ４で固定する。このケース６Ｄは、開口した一側面から磁石ユニット１５Ｄを露出させ、戸当りの機能も果たしている。そして、開き戸１０の磁石１と磁着受部２Ａが対向するよう、板バネ主体部後端を座板３及びネジ４で固定している。この座板３には長孔３Ａが設けられており、これに沿って座板３をスライドさせ、板バネ２の先端から座板先端までの長さを拡大または縮小させることにより、装置吸着力を一定範囲内で調整することができる。
【実施例４】
【００２５】
図５は請求項１または２に記載の発明装置を戸袋１３に収納される形式の引戸に、隙間防止材９を用いて装置部材を埋設せず簡易的に取付けた場合を示す、概観図である。
【００２６】
図６は請求項１記載の発明装置の引戸への実施例の詳細を示す斜視図、図７は板バネ２が磁石１に吸着された状態での、図６に於ける装置中央での縦断面図である。上下着磁の磁石１を凹状のヨーク５内に収めて成る磁石ユニット１５は、合成樹脂製ケース６内に収められている。先ず、これを引戸１１と当接する戸口枠体１２の側面の任意の位置に、２本のネジ４で固定する。
【００２７】
本例に示した板バネ２は磁着受部２Ａを折り曲げて二重にした上、ケース６と同一幅とし、主体部の幅を一定量縮小しているから、磁着受部２Ａの断面２次モーメントは主体部より十分に高められている。そして、主体部には磁着受部２Ａの板厚差による初期バネ力効果に加えて、側面視が「く」の字形の変形を与えている。この主体部後端の上に既述の座板３を重ね、磁石１と対面する位置に２本のネジ４で引戸１１に固定する。
【００２８】
図６及び７に示すように、磁石ユニット１５は合成樹脂製ケース６内に収納されているが、ケース６の開口部周縁の高さを僅かにヨーク表面以上として、そこで板バネ２との主たる衝撃を受けるようにする。更に、板バネ２の裏側に対しては、当接する引戸１１の部分に弾性皮膜８を貼付しているから、戸開閉時の作動音を減ずることができる。この弾性皮膜８は、板バネ２の表または裏面、またはケース６周縁部や磁石１表面に重複して貼付しても良い。
【００２９】
ところで、上記した何れの発明装置でも、袋戸形式の引戸のように戸の表または裏側に取付けることが困難なため、走行方向面に取付けたい場合、そのまま取付けては、それらの厚み分だけ引戸１１と枠体１２間に隙間を発生させるので、図１に概略示したように、予めそれぞれの取付け位置に各厚み分の溝を掘り、埋設しなくてはならない。
【００３０】
本実施例では図５、６及び７に示すように、枠体１２の引戸１１走行方向面と当接する面に於いて、装置部材を埋設せずに取付けたことにより発生する両者間の隙間を埋めるよう、隙間防止材９を設けた。これにより、上記した袋戸形式の引戸で必要であった溝設置を不要とすることができ、本発明装置の取付けは極めて簡易化される。
【符号の説明】
【００３１】
Ｍ    磁石吸着力
Ｍ0    剛性受体が磁石の全面に吸着された時の吸着力
Ｍ２    板バネが磁石の吸着を振り切って離れる位置での磁石吸着力
Ｎ    磁石吸引力
Ｎ１    剛性受体が引寄せられてしまう限界位置での磁石吸引力
Ｐ    バネ力
ｘ    磁石と受体間、即ち、戸と枠体間の距離
ｘ１    剛性受体が磁石吸引力により引寄せられてしまう限界位置でのｘ値
ｘ２    板バネが磁石の吸着力を振り切って離れる限界位置でのｘ値
１    磁石
２    板バネ
２Ａ  磁着受部
２Ｂ  板バネ固定部
３    座板
３Ａ  長孔
４    ネジ
５    ヨーク
５Ｄ    ヨーク
６    ケース
６Ｄ  ケース
８    弾性皮膜
９    隙間防止材
１０  開き戸
１１  引戸
１２  戸口枠体
１３  戸袋
１４  鉄片
１５  磁石ユニット
１５Ｄ  磁石ユニット
【手続補正書】
【提出日】平成24年6月19日(2012.6.19)
【手続補正１】
【補正対象書類名】特許請求の範囲
【補正対象項目名】全文
【補正方法】変更
【補正の内容】
【特許請求の範囲】
【請求項１】
戸を枠体に係着するため、その何れか一方に磁石を固定し、他の一方に板バネをその片端だけで固定する構成のマグネットキャッチに於いて、板バネの磁石と対向する部分（磁着受部）の少なくとも一部の板厚及び／または板幅を、それ以外の部分（主体部）以上とし、
かつ、板バネ側面視形状が「く」の字形であって、くの字の谷側が板バネ固定面に向くよう、前記主体部に変形を与えるか、
または、主体部に前記変形を与え、かつ、前記磁着受部の板厚を主体部より大きくし、板厚の段差がある側を板バネ固定面に向けて主体部後端を固定することにより、
戸が閉じられた状態で板バネ固定面を押す方向へ初期バネ力が掛かるようにしたことを特徴とする、板バネ式マグネットキャッチ。
【請求項２】
磁石に対向する鉄片を設けて磁着受部とし、その長さ方向中央部で板バネと接続した、請求項１記載の板バネ式マグネットキャッチ。
【手続補正２】
【補正対象書類名】明細書
【補正対象項目名】全文
【補正方法】変更
【補正の内容】
【発明の詳細な説明】
【技術分野】
【０００１】
本発明は、戸やカバー類などの開閉部材（扉を含め、以下、これらの総称として「戸」と記す）を枠体に係着した後、再び開く時（以下、「戸開時」と記す）の抵抗を軽減すると共に、戸の跳ね返りによる隙間発生を少なくする、板バネ式マグネットキャッチに関する。
【背景技術】
【０００２】
マグネットキャッチは、戸を枠体に係着する簡便な装置として広く利用されているが、幾つかの問題点がある。その一つは、比較的大きな係着力を得ようとすると、戸開時の抵抗が大きくなり、軽い力で滑らかに開けないことがしばしば起こることである。
【０００３】
また、引戸には、特に戸車を備えた軽快な引戸に於いて、閉めた時（以下、「戸閉時」と記す）に跳ね返りによる隙間が生じ易いという問題がある。これと上記戸開時抵抗力の問題も含めた対策案として、磁石を円柱状とし、磁石の底部にコイルスプリングを組み込んだ構造の発明が既になされている。
【先行技術文献】
【特許文献】
【０００４】
【特許文献１】特開２０００−２４８８１１号公報
【特許文献２】特開２００１−７３６１９号公報
【発明の概要】
【発明が解決しようとする課題】
【０００５】
磁石の底部にコイルスプリングを組込む上記発明２件は、引戸の跳ね返り防止効果に優れ、磁石が受体に及ぼす吸着力は従来装置と同じままであるが、戸が枠体から離れて受体が磁石を振り切るまでの間に慣性を得て、実感としての戸開時抵抗力を減少させるであろう。これはバネの効果により、戸開時抵抗力は磁石吸着力に等しいという従来概念を破る端緒を与えたものとして、注目される。しかし、コイルスプリングの付いた磁石の埋設作業等、その取り付けが一般家庭では容易に行えないことや、コスト高がその普及を妨げていると思われる。また、装置による吸着力はバネ力に等しくなるから、戸を閉じた状態での吸着力は微弱であり、そのため不安定となり、例えば震動が起こった場合に騒音を発したりすることが懸念される。
【０００６】
本発明が解決しようとする課題は、戸開時抵抗の軽減及び円滑化と、安定した戸閉状態の維持を両立させると共に、戸の跳ね返りによる隙間発生を減少させるようなマグネットキャッチを、簡単構造で、かつ、既存の戸への取付けも容易なように、提供することである。
【課題を解決するための手段】
【０００７】
請求項１記載の発明は、可動体たる戸を枠体に係着するため、その一方に磁石を固定し、他の一方に板バネをその片端だけで固定する構成のマグネットキャッチに於いて、磁着受部の少なくとも一部の板厚及び／または板幅を、板バネ主体部以上とし、かつ、板バネを固定する時点で板バネの固定面を押す方向へ初期バネ力が生じ、その力で板バネ静止時に自身を常に固定面に押し付けるようにした。
【０００８】
磁着受部板厚を主体部より厚くする方法としては、磁着受部を折り曲げて接合する方法が簡便であるが、磁石に対向する鉄片を設け、その全面で板バネと接合しても良く、本発明ではその方法に拘らない。
【０００９】
前記初期バネ力を与える方法としては、板バネ側面視形状が「く」の字形であって、くの字の谷側が板バネ固定面に向くよう前記主体部に僅かな変形を与える方法、または、主体部に前記変形を与え、かつ、板バネ磁着受部の板厚を主体部より大きくし、板厚の段差がある側を固定面に向けて主体部後端を固定する方法がある。
【００１０】
請求項２の発明は、請求項１記載の発明に対し、磁石に対向する鉄片を設けて磁着受部とし、その長さ方向中央部で溶接等の手段により板バネと局部的に接続し、接続していない重なり部は離着自由とした。
【発明の効果】
【００１１】
図１は、請求項１の発明に掛かる板バネ式マグネットキャッチの基本原理を説明するため、装置の骨子を横方向に誇張し、その挙動を段階的に示した断面図である。
【００１２】
ある重さの戸に固定されたマグネットキャッチの剛性受体が、枠体に固定された磁石の全面に吸着された時の吸着力をＭ0、磁石と受体間（即ち、戸と枠体間）の距離をｘ、受体が磁石から離れた位置から吸引力Ｎにより引寄せられてしまう限界位置をｘ１、その時の吸引力をＮ１とすると、磁石吸引力ＮはＭ0（ｘ＝０、図１「イ」の状態）からほぼｘ2に反比例して減衰することが一般に知られている。従って明らかに、バネが組み込まれていない従来のマグネットキャッチでは、戸を開くためにはＭ0以上の強い外力が初め一挙に必要であり、受体が磁石から離脱後も吸引力Ｎが働くものの、それは急激に減衰してｘ＞ｘ１となれば、跳ね返った戸が引き戻されることはない。
【００１３】
ところが、受体を板バネに置き換えると、磁石吸着力をＭ、バネ力をＰとして、ｘ１の位置では図１「ロ」の状態になり、ｘ＞ｘ１となっても、Ｍ＞Ｐである限り、磁石は依然として板バネの少なくとも一部を吸着したままであり、外力が弱まればバネ力Ｐにより戸は引戻される。外力が強まるとｘが増していき、板バネは戸の動きに引きずられて図１「ハ」の状態となる。磁石と板バネの接触面積は縮小するから、磁石吸着力Ｍは急速に減少し、遂にｘに比例して増大するバネ力Ｐの方が大きくなり、板バネは磁石の吸着を振り切って離れる。その限界の状態を図１「ニ」、ｘ＝ｘ２、Ｍ＝Ｍ２とすると、当然、ｘ１＜ｘ２、Ｍ２＜Ｍ0である。即ち、板バネ式マグネットキャッチでは、Ｍ0より小さな力Ｍ２で戸を開くことができ、明らかに従来のマグネットキャッチで戸開時の抵抗が大きいという弱点を、軽減することができる。しかも、このように本発明の装置としての吸着力（以下、「装置吸着力」と記す。これは、ばね力Ｐに等しい）は、磁石と受体間の距離ｘに伴い磁石吸着力Ｍが徐々にバネ力Ｐとして蓄積され、従来装置の場合とは全く様相が異なって逆に最大値Ｍ２まで増大していくから、従来より滑らかに戸を開くことができる。
【００１４】
一方、マグネットキャッチの跳ね返った戸を引戻す能力は、バネが組み込まれていない従来のマグネットキャッチでは、受体が磁石から離脱してしまえば、磁石吸引力Ｎは急速に減衰するから僅かな距離ｘ１で戸を引戻すことができなくなるのに対し、板バネ式マグネットキャッチでは、既述したように、戸の引戻し可能領域がｘ１を大きく超えてｘ２まで拡大する。しかも、バネ力Ｐと距離ｘは比例関係にあるから、従来装置とは全く逆に戸が枠体から離れるほど引戻し力が増大する。但し、前記のＭ２＜Ｍ0という限界がある。
【００１５】
既述のように、装置吸着力の最大値Ｍ２はＭ0以下であるが、これは戸を係着する力そのものであるし、跳ね返り防止能力を左右する因子でもあるため、小さ過ぎても不満足である。そこで請求項１記載の発明では、磁着受部の少なくとも一部の板幅及び／または板厚を主体部以上として、断面２次モーメントを大きくできるようにしたから、ｘ＝ｘ２の場面でも板バネと磁石の接触面積の縮小は抑制され、その結果として主体部の柔軟性を維持しながら、装置吸着力の最大値Ｍ２の過小化を防ぐことができる。他方、板バネがＭ２で降伏しない範囲で積極的に主体部の板幅を磁着受部より縮小すれば、磁着受部は元のまま主体部のバネ定数が低下するから、同値のＭ２を維持しながらｘ２を拡大し、跳ね返り防止能力を高めることができる。
【００１６】
また、戸開時の抵抗を減少させることは、一方では、戸閉状態を保持する力、即ちｘ＝０に於ける装置吸着力、を低下させることを意味するので、僅少な間隙は発生しても直ぐに引戻されるとは言え、戸閉状態が不安定となる可能性がある。そこで本発明では、図１、２、５及び６に示すように、主体部に予め変形を与えて板バネ固定時に初期バネ力を蓄えたから、戸閉状態で一定のバネ力を確保できるようにした。板バネへの初期バネ力を得るには、前記方法に加え、図５に示すように、板バネ磁着受部を主体部より厚くし、板厚の段差がある側を固定面に向けて主体部後端を固定する方法と併用しても良い。
【００１７】
上記の通り、請求項１記載の発明ではある程度Ｍ２を大きくすることができるが、戸開時の外力の増大と共に板バネは片持ちで磁石から後方より徐々に引き離されていくから、Ｍ２はＭ0と等値まではなり得ない。そこで請求項２記載の発明では、磁石と対向する部分を剛性鉄片とし、その長さ方向中央部にバネ力が負荷され、戸開時鉄片は片端から徐々にではなく一挙に磁石から離脱するようにしたから、Ｍ２をＭ0と等値まで高めることができる。即ち、請求項１の発明は、一挙に大きな戸開時抵抗力を発生させるという従来装置の弱点を改善することができるものの、戸を係着する力は大きく減じたくないという要求には、磁石吸着力を上げるしかないのに対し、請求項２の発明は磁石をそのままで、該要求を満足させることができる。このことにより戸開時抵抗力は従来抵抗値Ｍ0に接近してしまうが、該抵抗を円滑化する効果は維持し、かつ、一定のバネ定数の下では戸閉時の跳ね返り防止能力を最大に高めることができる。
【００１８】
以上述べた通り、本発明による装置は何れも極めて簡単な構造であり、かつ、取付け容易であるため、経済的にも有利である。
【図面の簡単な説明】
【００１９】
【図１】請求項１記載の発明の基本原理を説明するための図である。
【図２】請求項２記載の発明装置の実施例を説明するための図である。（実施例１）
【図３】請求項１記載の発明装置の開き戸への実施例を説明するための図である。（実施例２）
【図４】請求項１または２に記載の発明装置を、戸袋に収納される形式の引戸に、隙間防止材を用いて簡易的に取付けた場合を示す、概観図である。（実施例１、３）
【図５】請求項１記載の発明装置の引戸への実施例を説明するための図である。（実施例３）
【図６】板バネが磁石に吸着された状態での、図５に於ける装置中央での縦断面図である。（実施例３）
【発明を実施するための形態】
【００２０】
戸開時の抵抗の軽減及び円滑化と、安定した戸閉状態の維持を両立させると共に、戸の跳ね返りによる隙間発生を減少させ、戸袋に収納される形式の引戸にも利用できるようなマグネットキャッチを、簡単構造で、かつ、既存の戸への取付けも容易に行えるように、実現した。
【実施例１】
【００２１】
図２に、請求項２記載の発明装置の実施例を示すが、磁石１に対向する鉄片１４は、その長さ方向中央部で板バネ２と溶接等の手段で局部的に固着されている。板バネ２の固定部２Ｂより下方の重なり部は、鉄片１４に対して離着自由であるから、バネ力は鉄片１４の長さ方向中央部を中心に均等に働く。板バネ２の主体部には、板バネ側面視が「く」の字形となるよう予め僅かに変形を与えているため、くの字の谷側が板バネ固定面に向くよう板バネを取付けた時に、固定部２Ｂが固定面より押し上げられて初期バネ力が生成され、これにより戸閉時に引戸１１へ一定のバネ力が働く。
【実施例２】
【００２２】
図３は、請求項１記載の発明装置の開き戸（以下、「開き戸」と記した場合は、片開き戸と枠体を含めた戸の形態を意味し、「開き戸１０」と記した場合は、扉単体を意味する。引戸も同じ）への実施例を示す説明図である。
【００２３】
図３に示すように、開き戸では先ず、戸口枠体１２の上角の近傍に、上下着磁の磁石１を一対の鉄板からなるヨーク５Ｄで上下に挟んで形成した磁石ユニット１５Ｄを、合成樹脂製のケース６Ｄ内に収めて複数のネジ４で固定する。このケース６Ｄは、開口した一側面から磁石ユニット１５Ｄを露出させ、戸当りの機能も果たしている。そして、開き戸１０の磁石１と磁着受部２Ａが対向するよう、板バネ主体部後端を座板３及びネジ４で固定している。この座板３には長孔３Ａが設けられており、これに沿って座板３をスライドさせ、板バネ２の先端から座板先端までの長さを拡大または縮小させることにより、装置吸着力を一定範囲内で調整することができる。
【実施例３】
【００２４】
図４は請求項１または２に記載の発明装置を戸袋１３に収納される形式の引戸に、隙間防止材９を用いて装置部材を埋設せず簡易的に取付けた場合を示す、概観図である。
【００２５】
図５は請求項１記載の発明装置の引戸への実施例の詳細を示す斜視図、図６は板バネ２が磁石１に吸着された状態での、図５に於ける装置中央での縦断面図である。上下着磁の磁石１を凹状のヨーク５内に収めて成る磁石ユニット１５は、合成樹脂製ケース６内に収められている。先ず、これを引戸１１と当接する戸口枠体１２の側面の任意の位置に、２本のネジ４で固定する。
【００２６】
本例に示した板バネ２は磁着受部２Ａを折り曲げて二重にした上、ケース６と同一幅とし、主体部の幅を一定量縮小しているから、磁着受部２Ａの断面２次モーメントは主体部より十分に高められている。そして、主体部には、磁着受部２Ａの板厚差による初期バネ力効果に加えて、側面視が「く」の字形の変形を与えている。この主体部後端の上に既述の座板３を重ね、磁石１と対向する位置に２本のネジ４で引戸１１に固定する。
【００２７】
図５及び６に示すように、磁石ユニット１５は合成樹脂製ケース６内に収納されているが、ケース６の開口部周縁の高さを僅かにヨーク表面以上として、そこで板バネ２との主たる衝撃を受けるようにする。更に、板バネ２の裏側に対しては、当接する引戸１１の部分に弾性皮膜８を貼付しているから、戸開閉時の作動音を減ずることができる。この弾性皮膜８は、板バネ２の表または裏面、またはケース６周縁部や磁石１表面に重複して貼付しても良い。
【００２８】
ところで、上記した何れの発明装置でも、袋戸形式の引戸のように戸の表または裏側に取付けることが困難なため、走行方向面に取付けたい場合、そのまま取付けては、それらの厚み分だけ引戸１１と枠体１２間に隙間を発生させるので、図１に概略示したように、予めそれぞれの取付け位置に各厚み分の溝を掘り、埋設しなくてはならない。
【００２９】
本実施例では図４、５及び６に示すように、枠体１２の引戸１１走行方向面と当接する面に於いて、装置部材を埋設せずに取付けたことにより発生する両者間の隙間を埋めるよう、隙間防止材９を設けた。これにより、上記した袋戸形式の引戸で必要であった溝設置を不要とすることができ、本発明装置の取付けは極めて簡易化される。
【符号の説明】
【００３０】
Ｍ    磁石吸着力
Ｍ0    剛性受体が磁石の全面に吸着された時の吸着力
Ｍ２    板バネが磁石の吸着を振り切って離れる位置での磁石吸着力
Ｎ    磁石吸引力
Ｎ１    剛性受体が引寄せられてしまう限界位置での磁石吸引力
Ｐ    バネ力
ｘ    磁石と受体間、即ち、戸と枠体間の距離
ｘ１    剛性受体が磁石吸引力により引寄せられてしまう限界位置でのｘ値
ｘ２    板バネが磁石の吸着力を振り切って離れる限界位置でのｘ値
１    磁石
２    板バネ
２Ａ  磁着受部
２Ｂ  板バネ固定部
３    座板
３Ａ  長孔
４    ネジ
５    ヨーク
５Ｄ    ヨーク
６    ケース
６Ｄ  ケース
９    隙間防止材
１０  開き戸
１１  引戸
１２  戸口枠体
１３  戸袋
１４  鉄片
１５  磁石ユニット
１５Ｄ  磁石ユニット
【手続補正３】
【補正対象書類名】図面
【補正対象項目名】全図
【補正方法】変更
【補正の内容】
【図１】
2012172294.tif 000014
【図２】
2012172294.tif 000015
【図３】
2012172294.tif 000016
【図４】
2012172294.tif 000017
【図５】
2012172294.tif 000018
【図６】
2012172294.tif 000019